(57)【要約】フローサイトメトリーによる流体中の細胞の計数は、異なる身体流体中の白血球サブセット、または環境試料、食物製品および身体流体中の細菌コンタミネーションの評価のごとき多くの学問分野にわたって広範に使用されている。多くの適用については、機器のコスト、サイズおよび複雑性が広範な使用、例えば資源に乏しい国々におけるＨＩＶモニタリングにおけるＣＤ４分析を妨害している。明細書に開示する新規なデバイス、方法およびアルゴリズムはこれらの制限を大きく克服する。簡単には、生物試料中のすべての細胞を蛍光標識するが、標的細胞のみ磁気的にも標識する。チャンバーまたはキュベット中の標識した試料は２のくさび型磁石の間に設置して、磁気的に標識した細胞をキュベットの観察表面まで選択的に運動させる。ＬＥＤは細胞を照明し、ＣＣＤカメラは標的細胞によって発せられた蛍光の画像をキャプチャーする。新規なアルゴリズムを用いて行う画像解析によって表面上の細胞のカウントが提供され、これは元の試料の標的細胞濃度に関連付けることができる。コンパクトなサイトメーター・システムは、離れた場所で使用し得る、頑丈で、手頃で簡単に使用できる技術を提供する。
2005537781.tif 000002
【特許請求の範囲】
【請求項１】
ａ）対象から生物標本を得；
ｂ）該生物試料内の標的集団を標識し；
ｃ）該標識した標的集団を単離し；
ｄ）該標識した標的集団を含む該生物標本の画像を獲得し；ついで
ｅ）該画像を解析して該標識した標的集団を検出および計数する
ことを含む、生物標本内の標的集団を検出および計数する方法。
【請求項２】
該標的集団のメンバーが細胞からなる請求項１記載の方法。
【請求項３】
該細胞がＣＤ４＋細胞からなる請求項２記載の方法。
【請求項４】
該標識工程が該生物標本に非特異的蛍光色素を導入することを含み、ここに該色素が該標的集団のメンバーを標識する請求項１記載の方法。
【請求項５】
該色素がアクリジン・オレンジ、Ｈｏｅｃｈｓｔ３３２５８およびＨｏｅｃｈｓｔ３３３４２よりなる群から選択される請求項４記載の方法。
【請求項６】
該標識工程が、該標的集団のメンバーを特異的に標識することができて非標的集団を実質的に排除することができる磁性粒子を導入することを含む請求項１記載の方法。
【請求項７】
該磁性粒子がコロイド状ナノ粒子、強磁性流体、磁性マイクロスフェアおよび強磁性高密度粒子よりなる群から選択される請求項６記載の方法。
【請求項８】
該磁性粒子がＣＤ４抗原に対して特異的である請求項６記載の方法。
【請求項９】
該単離工程が該標的集団の該磁気的に標識したメンバーを磁気的に操作することを含む請求項６記載の方法。
【請求項１０】
該磁気的操作が該標的集団のメンバーを観察表面に近接して位置させることを生じる請求項９記載の方法。
【請求項１１】
該観察表面が水平面に対して傾斜していて、泡を該観察表面から離れて浮揚させることができる請求項１０記載の方法。
【請求項１２】
該画像獲得工程がＣＣＤカメラを用いて該生物標本のデジタル画像をキャプチャすることを含む請求項１記載の方法。
【請求項１３】
該解析工程が該デジタル画像を処理するための１またはそれを超えるアルゴリズムを含む請求項１２記載の方法。
【請求項１４】
該１またはそれを超えるアルゴリズムを用いてＳＮ比を低減させ、ここに該シグナルが該標的集団の陽性に標識したメンバーに対応する請求項１３記載の方法。
【請求項１５】
該１またはそれを超えるアルゴリズムを用いてシグナルを検出および計数し、ここに該シグナルが該標的集団の陽性に標識したメンバーの存在を示す請求項１２記載の方法。
【請求項１６】
該生物試料を落射照明、直接照明、斜照明および垂直明視野照明よりなる群から選択される方法によって照明する請求項１記載の方法。
【請求項１７】
該照明の光源がＬＥＤ、レーザー、水銀アーク灯および石英ハロゲン灯よりなる群から選択される請求項１６記載の方法。
【請求項１８】
該画像が全体生物標本の知られた部分を表す請求項１記載の方法。
【請求項１９】
該分割した画像を解析することが、該標的集団のメンバーを計数することおよび該知られた部分の結果を外挿して全体の生物標本を表すことを含む請求項１８記載の方法。
【請求項２０】
さらに、該生物標本中に存在する非標的集団基に結合することができるマイクロビーズを添加する工程を含む請求項１記載の方法。
【請求項２１】
該マイクロビーズがＣＤ１４抗原に対して特異的である請求項２０記載の方法。
【請求項２２】
さらに、該標的集団のメンバーに対して特異的である遊離生物特異的リガンドを添加する工程を含む請求項１記載の方法。
【請求項２３】
該遊離生物特異的リガンドが抗体である請求項２２記載の方法。
【請求項２４】
該抗体がＣＤ４抗原に対して特異的である請求項２３記載の方法。
【請求項２５】
ａ）照明手段；
ｂ）画像を獲得するための手段；
ｃ）生物標本を含む試料チャンバーを受容することができる磁石配置（ここに該磁石配置はさらに試料チャンバーが照射され、イメージされることを可能にすることができる）；
ｄ）該画像に対して１またはそれを超える解析アルゴリズムを実行するプロセッサ；および
ｅ）結果を表示するための出力手段
を含む、生物標本内の標的集団を検出および計数するための装置。
【請求項２６】
該発光手段が１またはそれを超える発光ダイオードである請求項２５記載の装置。
【請求項２７】
該発光ダイオードが４７０ｎｍの中心波長で発光する請求項２６記載の装置。
【請求項２８】
該画像獲得手段がデジタルカメラおよびＣＣＤカメラよりなる群から選択される請求項２５記載の装置。
【請求項２９】
該試料チャンバーが透明観察表面を有する請求項２５記載の装置。
【請求項３０】
該磁石配置が繰り返し可能な正確な位置に該試料チャンバーを位置決定することができる請求項２９記載の装置。
【請求項３１】
該磁石配置が該標的集団の磁気的に応答するメンバーを該観察表面に運搬する請求項２９記載の装置。
【請求項３２】
該試料チャンバーが水平面に対して傾斜していて、泡を該観察表面から離れて浮揚させることができる請求項２９記載の装置。
【請求項３３】
ａ）磁性粒子；
ｂ）非特異的蛍光色素；
ｃ）試料チャンバー；および
ｄ）１またはそれを超える好適な生物緩衝液
を含む生物標本内の標的集団を検出および計数するキット。
【請求項３４】
該磁性粒子がコロイド状ナノ粒子、強磁性流体、磁気マイクロスフェアおよび強磁性高密度粒子よりなる群から選択される請求項３３記載のキット。
【請求項３５】
該磁性粒子が該標的集団のメンバーに特異的に結合することができる請求項３３記載のキット。
【請求項３６】
該磁性粒子がＣＤ４抗原に対して特異的である請求項３５記載のキット。
【請求項３７】
１またはそれを超える試薬が凍結乾燥形態で存在する請求項３３記載のキット。
【請求項３８】
該凍結乾燥した試薬が該試料チャンバー内に含まれる請求項３７記載のキット。
【請求項３９】
１またはそれを超える試薬が錠剤形態で存在する請求項３３記載のキット。
【請求項４０】
該試料チャンバーが透明観察表面を有する請求項３３記載のキット。
【請求項４１】
該試料チャンバーを、該生物標本の収集デバイスとして用いる請求項３３記載のキット。
【請求項４２】
該非特異的蛍光色素がアクリジン・オレンジ、Ｈｏｅｃｈｓｔ３３２５８およびＨｏｅｃｈｓｔ３３３４２よりなる群から選択される請求項３３記載のキット。
【請求項４３】
さらに、該生物標本中に存在する非標的集団基に結合することができるマイクロビーズを含む請求項３３記載のキット。
【請求項４４】
該マイクロビーズがＣＤ１４抗原に対して特異的である請求項４３記載のキット。
【請求項４５】
さらに、該標的集団のメンバーに対して特異的である遊離生物特異的リガンドを含む請求項３３記載のキット。
【請求項４６】
該遊離生物特異的リガンドが抗体である請求項４５記載のキット。
【請求項４７】
該抗体がＣＤ４抗原に対して特異的である請求項４６記載のキット。
【請求項４８】
さらに、既知量の蛍光ビーズを含有する通常の試料チャンバーを含むキャリブレーション・チャンバーを含む請求項３３記載のキット。
【請求項４９】
該ビーズがポリマーマトリクスに包埋されている請求項４８記載のキット。
【請求項５０】
ａ）照明手段；
ｂ）画像を獲得するための手段；
ｃ）生物標本を含む試料チャンバーを受容することができる磁石配置（ここに該磁石配置はさらに試料チャンバーが照射され、イメージされることを可能にすることができる）；
ｄ）該画像に対して１またはそれを超える解析アルゴリズムを実行するプロセッサ；
ｅ）結果を表示するための出力手段；および
ｆ）リチャージャブル・バッテリ
を含む、低コストでリモート細胞解析を行うためのポータブル装置。
【請求項５１】
ａ）デジタル画像を獲得し；
ｂ）該デジタル画像の１またはそれを超える領域に対してテンプレート・マッチングを行い、ここに該テンプレート・マッチングが：
ｉ）該デジタル画像をパターンに変換し；
ｉｉ）該デジタル画像の１の領域のパターンと既知の対象のテンプレートとを比較し、ここに該既知の対象が該標的基に類似するように選択され；および
ｉｉｉ）該領域パターンが該既知の対象テンプレートにマッチングする閾値内に存在する場合の事象の数をカウントすることを含み；
ｃ）近い事象が同一の標的基からのものであるかを判定し；ついで
ｄ）標的基の数を報告することを含む、標的基の画像解析用のアルゴリズム。
【請求項５２】
工程ｃ）が：
ａ）該事象間の距離を測定し；ついで
ｂ）該距離と閾値とを比較することを含み、ここに該閾値が標的基の典型的なサイズよりも小さい請求項５１記載のアルゴリズム。
【請求項５３】
工程ｂ）の前に、該デジタル画像をプレフィルタリングして、ＳＮ比を上昇する請求項５１記載のアルゴリズム。
【請求項５４】
該標的基が蛍光標識した細胞および蛍光標識したビーズよりなる群から選択される請求項５１記載のアルゴリズム。
【請求項５５】
ａ）ＨＩＶ陽性患者からの血液を試料チャンバーに導入し；
ｂ）蛍光細胞色素で該血液試料中の細胞を非特異的に標識し；
ｃ）該血液試料中に存在するＣＤ４＋白血球を免疫磁気的に標識し；
ｄ）該免疫磁気的に標識したＣＤ４＋細胞を該試料チャンバーの観察表面に向けて磁気的に操作し；
ｅ）該血液試料の画像を獲得し；ついで
ｆ）該画像を解析して該ＣＤ４＋細胞集団を検出および計数することを含むＨＩＶ陽性患者からの血液試料を分析する方法。
【発明の詳細な説明】
【発明の詳細な説明】
【０００１】
関連出願の相互参照
本願は、部分的に、出典明示して本明細書の一部とみなす２００２年２月１４日に出願された米国仮特許出願番号６０／３５７,１７０号に基づく優先権を主張する非仮特許出願である。
【０００２】
発明の分野
本発明は、一般的に、二次元平面に分散した微視的粒子を計数するためのシンプルかつ低コストのエレクトロニック・オプティカルデバイス、方法、およびアルゴリズムに関する。新規なカウンティング技術は、安価なセルサイトメーターによって、血液のごとき複雑な生物標本中の磁気的に選択した蛍光細胞の計数に特に適用することができる。
【０００３】
発明の背景
体液中の細胞およびそのサブセットの絶対レベルの計数は、一般にヒトおよび哺乳動物の健康状態を判断することにおいて主に重要なものである。かかる分析を行うための主たる分析プラットフォームは、標本を直接的または希薄な細胞分析において先に富化した後のいずれかに注入するフローサイトメトリーである。フローサイトメトリーおよび同様な複雑な分析システムは、高価な機器および試薬コスト、技術的支援の不足、頻繁なサービスを必要とする強固さの不足およびＡＣ電源の必要性に起因して、資源が乏しい国においては日常的な臨床用途にたいてい得難いままである。緊急用ＤＣバッテリーで操作可能なよりシンプルで、よりコンパクトでかつあまり高価でなく、しかも好ましくは匹敵する性能特性を示すシステムに対する明らかな要望が存在する。
【０００４】
Becton DickinsonおよびBeckman-Coulterから入手可能な前記に引用したフルサイズのフローサイトメトリー・システムに加えて、これらの販売業者は、スケールダウンしたあまり高価でないバージョンのものも販売しており、これらは他の引用した制限にいまだ苦しむ。同様の制限はPartec GmbH (Munster, Germany)から市販されているコンパクトなCyFlow（登録商標）およびGuava Personal Cytometer（Burlingame, CA）に当てはまる。米国特許第６,０９７,４８５号（Integrated Wave Guides, Brookings, SDに譲渡された）は、より低コストであることを訴求した超小型パーソナルフローサイトメーター（ｐFCM）を開示しているが、いまだむしろ複雑な電子回路、光学設計、データ減少を示しており、これらはすべて第三世界の配置に対して許容し得ない複雑性の一因となっている。これらのシステムはすべてフロー概念を用いており、それは装置の設計を明らかに複雑にする。フローサイトメトリー・システムのこれらのスケールダウンしたバージョンは、真に単純で、コンパクトで、頑丈で、バッテリー作動可能で、入手可能なセルアナライザーに対する明らかな要望に合致しない。
【０００５】
単純なセルアナライザーに関する膨大な臨床適用の中で、ＨＩＶにおけるＣＤ４細胞の計数、化学療法で処理した患者における顆粒球および血小板の計数、ならびに、血液バッグ中の白血球の計数は最も重要である。細胞分析に関する最近のシステムおよび方法は幾つかの重要な欠点を有している。一般的にそれらには高度の技術が必要であり、それには、初期コストおよび維持の両方の面において高価である機器の使用ならびに高度に訓練された個人の使用が含まれる。このことは、資源が乏しい国々の研究室における使用に従来のシステムを不適なものとしている。したがって、例えば、ＣＤ４細胞計数に対して、低コストで、使用するのが簡単な方法が必要とされる。かかる方法は、試験することならびに屋外の設置に加えて、医師の実施に適当であろう最近の細胞分析システムに対するコンパクトな代替物として作用し得る。
【０００６】
ＨＩＶおよびＡＩＤＳはアフリカにおける主要な死因であり、全世界の４番目に主要な死因である。最も冒された国々においては、期待寿命は１０歳下がり、新生児死亡率は２倍になった。ボツワナ、南アフリカおよびジンバブエのような最も高いＨＩＶ罹患率の国においては、伝染性の完全な影響はいまだ感じられていない。最近感染したものはいまだに明白な症状を発病していないからである。同等に重要なことは、家族、社会システムおよび国の生産および発展に対するＨＩＶ死亡の影響である。国の国内総生産に実質的に寄与する若年成人が、最も一般に罹患している。ＨＩＶに感染した個人に対する最も有効な介在療法は、抗レトロウイルス剤の組合せの使用である。しかしながら、これらの様式の高いコストおよびその使用をモニターするのに必要なインフラストラクチャーは、これらの薬物療法を多くのＨＩＶ感染個人の手の届く範囲を超えるものとしている。これらの薬剤の価格は下落し、より多数の個人を治療することが可能になっているが、これらの薬物療法の有効な使用を指示するためのインフラストラクチャーは不十分のままであり、強化する必要がある。見積もり予測および計画療法の目的で個人における疾患を特徴付けするためには、医師はどの位疾患が進行しているかを知る必要がある。
【０００７】
ＨＩＶ疾患においては、最近、ＣＤ４計数によってこれが最も有用に示されている。ＨＩＶはＴリンパ球のＣＤ４陽性サブセットに感染し、結局それらの枯渇およびＡＩＤＳに現れる種々の日和見感染の開始につながる。ＨＩＶ感染の過程の間に、ＣＤ４＋Ｔリンパ球の数は５００〜１３００細胞／μｌの正常な値から２００細胞／μｌ未満まで低下する。典型的な未治療患者の自然の過程は、血中のウイルスの鋭い上昇で始まり、その後にＣＤ４＋Ｔ細胞が低下する。しかしながら、すぐに免疫系はある程度まで回復し、数年間、ＨＩＶレベルはかなり安定に維持される。にもかかわらず、最終的にはウイルスが優勢となる。いずれが早く起こるにせよ、ＣＤ４＋Ｔ細胞レベルが血液１ｍｍ３あたり２００細胞未満まで低下した場合または日和見感染（免疫不全を反映する）が上昇した場合にＡＩＤＳが診断される。したがって、ＣＤ４＋Ｔ細胞レベルを用いてＨＩＶ疾患の進行を判断し得る。さらに、絶対ＣＤ４カウントの日常的なモニタリングは、療法の有効性を判断することならびに療法に対する応答についての重要な情報を与える。
【０００８】
要求に基づいて、本発明を用いてＨＩＶ患者中のＣＤ４細胞を計数することに関して以下の設計基準を確立した：
１．計数は１００〜２５００のＣＤ４＋Ｔ細胞／μｌ血液で可能であるが、１００〜５００の範囲においては最もきわどいこと。５００細胞／μｌを超えるカウントは不適切である。また、２００細胞／μｌ未満は療法の臨床参加が主張される真の臨界的なレベルでもある（資源が乏しい環境におけるＷＨＯ治療を参照されたい）。これらの最近のガイドラインはＣＤ４を非常にシンプルに等級別に分類し、ヘモグロビン（Ｈｂ）を使用して患者を臨床的に等級別に分類する。
２．１０％未満の偽陽性の数（単球、他の細胞）。これは、例えばＴＢとの同時感染のような単球が高くなり得る場合にとりわけ重要である。ＴＢは２００μ／μＬ未満のＡＩＤＳを定義する疾患とみなされており、南アフリカの症例の経験においては、ＣＤ４カウントの大部分は２００〜４００の範囲内にある。
３．＄１０００以下のハードウェアコスト価格。
４．＄１以下の試験あたりの最大コスト（化学物質、抗体ほかを含む）。試験あたり＄１〜２未満の一般的試薬を用いるフローサイトメトリーコスト。
５．最小限量の研究室取り扱いしか要求されないこと。それは、資源に乏しい環境における適用には重要な点である。
６．清掃段階を回避し、安全性の理由により、ディスポーザブル（キュベットほか）を使用すること。これは、ディスポーザブルなシステムのみを開発しなければならないことを意味するものではない。非常に資源が乏しい環境においては、ディスポーザブルは手が届かない場合があり、その場合には清掃可能なチャンバーがより良好となり得る。"全ての"（ディスポーザブル物および血液）が一般廃棄物に行き、あるいは浪費されることを避けるためには、ディスポーザブル物用の単純な滅菌システムを含めることはよいアイデアとなり得る。
７．総合的なシステムは頑丈かつポータブルであるべきであり；低電力消費を有し（バッテリー作動可能である）、自動データ登録を有しているべきである。
【０００９】
本明細書に記載する発明は前記の基準に合致する。本発明は、ＣＣＤカメラを用いて試料をイメージする。対象検出アルゴリズムはキャプチャした画像上で行って、試料中に存在する標的物質の数をカウントする。
【００１０】
従来技術は多くのコンピュータ支援の顕微鏡を含んでいる。米国特許第５,０１８,２０９号は、使用者が画像を見ながら陽性事象を手動で選択するコンピュータ駆動顕微鏡を教示している。明らかに、これは、とりわけリモート環境において、有効なアナライザーとなる非常に十分なスループットを有していない。
【００１１】
米国特許第５,２８７,２７２号においては、自動化細胞学的標本分類システムおよび方法が記載されている。このシステムは形態に基づく細胞の画像を処理する複雑なニューラルネットワークに頼っている。画像で対象物を分類することについては非常に有効であるが、それは多量のコンピュータ資源を必要とする。さらに、ヒトの入力およびその後にの分析がいまだ必要である。米国特許第５,０７３,８５７号および第５,０７７,８０６号に記載されているもののごとき他のデバイスは、所定の閾値を用いることによって、ウィンドウ・サブイメージ・ピクセル・カウンティング・アルゴリズムを画像解析に用いる。
【００１２】
先行技術におけるもう１セットの機器は、ベンチトップアナライザーとして設計されている。米国特許第５,０７３,８５７号においては、パプ塗抹標本がコンピュータ制御顕微鏡およびカメラならびにコンピュータ駆動画像分析によって分析されている。米国特許第６,２２１,６０７号においては、生物標本におけるイン・サイチュ（in situ）ハイブリダイゼーションを分析するための自動化顕微鏡が記載されている。
【００１３】
前記した先行技術のデバイスはスライドをイメージするために設計されている。本明細書中で明らかにするような生物標本内の標的集団を検出および計数することができるものは存在しない。さらに、ポータブルまたは高スループットなデバイスと考えられるものも存在しない。これらの機器はデスクトップ・コンピュータに頼って顕微鏡およびカメラを制御し、画像解析アルゴリズムを行うように設計されている。本発明は、先行技術に存在した多くの困難を克服した。
【００１４】
発明の概要
本発明（本明細書中ではそのプロジェクト名である"イージーカウント（Easy Count）"という場合もある）は、磁気的に標識した標的細胞または粒子を検出および計数するためのコンパクトなエレクトロニック・オプティカル機器、分析方法、画像の獲得およびデータ削減アルゴリズムを記載する。例えば、全血を用いる場合、血球はＤＮＡ染色色素のごとき１またはそれを超える標的特異的な蛍光色素を用いて蛍光標識する。血液試料中の関心のある細胞または標的細胞は、強磁性粒子にコンジュゲートしたモノクローナル抗体とインキュベートすることによって標識する。ついで、試料は適当な光学的検出チャンバーまたはキュベットに入れ、ついでこれを磁場勾配に置き、これは磁気的に標識した細胞をチャンバーの上部の観察表面まで動かす。標的細胞を収集し、チャンバーの光学的に透明な表面に実質的に均一に固定化する。この表面のセグメントおよびその上の標識した標的細胞は、１またはそれを超えるＬＥＤ（発光ダイオード）によって照明される。その後に、個々の標的細胞から発せられた光はＣＣＤ（電荷結合素子）によってキャプチャされる。とりわけ本明細書に開示するこのシステムに対して考案された、新規な画像獲得方法、処理方法、およびアルゴリズムを用いて、キャプチャされた光を発する細胞の数をカウントする。ついで、データ出力をチャンバー中の試料のマイクロリットルあたりの標的細胞に関連付け、最終的にもとの標本に関連付ける。
【００１５】
本発明の１の具体例は、全血試料からの免疫磁気的に標識した細胞の所定の高さの試料チャンバーの上部ガラス観察表面に向けての磁気的操作である。システムは所定の領域の観察表面上に存在する細胞の数をカウントする。チャンバーの高さおよび観察領域の面積は知られているので、細胞が抽出される体積を決めることができ、観察表面に存在する細胞の数を試料中の細胞の絶対数に直接的に変換し得る。
【００１６】
簡単には、１のアッセイ方法具体例は、つぎのように行う：特定の型の細胞が存在するかまたはどの位存在するかを調べたい試料を得る。試料中の全細胞または核酸を含む全細胞を標識する蛍光プローブを試料に加える。この細胞型を試料中の他の細胞から区別する生物基（bioentity）で標識した免疫磁気粒子を試料に添加する。細胞標識は分析に用いたキュベットまたはチャンバー中で行うか、または細胞標識ができるようになる十分な時間放置した後にかかるキュベットまたはチャンバーに移す。キュベットまたはチャンバーは、すべての磁気的に標識した細胞が上部観察表面に移動するように設計された２のくさび型の磁石の間に置く。ＬＥＤによって励起されるように、および、観察する表面で細胞によって発せられる蛍光がＣＣＤカメラによってキャプチャされた画像で個々の細胞を同定し得るように蛍光標識を選択する。画像に当てはめられたアルゴリズムは、対象または細胞の各々を同定および計数する。好ましくは、アルゴリズムは、ＣＣＤカメラ中の埋め込まれたプロセッサにプログラムする。最後に、試料１マイクロリットルあたりの細胞カウントがＬＣＤ上に表示される。
【００１７】
細胞は、バックグラウンドとのその蛍光強度の差異に基づいてカウントする。励起光源としては、蛍光標識の吸収スペクトルに合致する４７０ｎｍの最大発光を有するＬＥＤを用いる。発せられた蛍光はＣＣＤカメラにイメージされる。画像解析のルーチンでは、システムの内部にコードされたハードが存在する細胞の数を決定し、ついで単位体積あたりの細胞の数を決定する。画像獲得用のアルゴリズムの開発およびデータ削減にはかなり労力のかかる実験および最適化を要した。これによって、本明細書中に記載する優れた性能特性、特に予想だにしなかった高いＳ／Ｎを示す本発明の構造が得られた。
【００１８】
本発明の１の特に有利な態様は、細胞生物学における研究ツールおよび多様な細胞、菌類および限定されるものではないがＨＩＶを含むウイルス病理学およびガンの診断における臨床ツールとしての両方の有用性である。本発明によって提供されるさらなる利点は、デザインにおける機能的シンプルさ、頑丈さ、コンパクトであること、ＡＣまたはＤＣ電源を任意に選択可能であること、ならびに、匹敵する性能特性を有する従来の市販のデバイスに対して、実質的に低い購入および操作コストである。コンパクトな臨床セルサイトメーターとして具体化される本発明のデバイスの特色および改善点は、旧式の研究室または資源が乏しい国々で一般的に行われている現場条件下における操作に特に有用なものとしている。
【００１９】
本発明によるこれらの発見が当業者によって構想され得る装置、方法およびアルゴリズムの多くのさらなる潜在的な適用の例示を説明することのみを目的とするもので、したがって本発明の範囲を限定することを意図するものでないことは理解されるべきである。したがって、本発明の他の目的および利点は、添付する請求の範囲と一緒に詳細な説明に従えば当業者であれば明らかであろう。
【００２０】
図面の簡単な説明
図１：オプティカルおよび発光構造の概略図。（Ａ）においては、ＬＥＤからの光が集光器、一連のフィルタおよび１０×対物レンズを通って試料上に集光される。細胞の蛍光の画像は投射され、ＣＣＤカメラによってキャプチャされる。（Ｂ）においては、２のＬＥＤの光は試料上に直接的に投射されている。
【００２１】
図２：（Ａ）ｘ−およびｚ−方向におけるチャンバー中の磁気勾配。勾配のｘ−成分は無視し得る。（Ｂ）磁気的に標識した白血球はチャンバー中を上方に移動し、一方非標識赤血球は下方に移動する。
【００２２】
図３：異なる細胞速度分布に対する時間の関数としての表面の細胞の数。曲線の最初の傾斜は平均細胞速度を表し：ａ．０.０２ｍｍ／秒の一定の平均細胞速度、σの異なる値。ｂ．０.０２ｍｍ／秒の一定値に対する異なる平均細胞速度。
【００２３】
図４：典型的な細胞画像およびその強度プロフィールの拡大図。これらの画像に基づいて、細胞を二次元Gaussianスポットとしてモデル化し得ることが予想される。
【００２４】
図５：カメラから得られた３の細胞画像からの閾値レベル曲線。カウントした細胞の数は選択した閾値レベルに強く依存する。
【００２５】
図６：正規化したテンプレートｈ（ｘ,ｙ）の断面。テンプレートはゼロ平均値を有する。
【００２６】
図７：フィルタテンプレートｈ（ｘ,ｙＣ０（ｘ,ｙ）＝０）の断面。
【００２７】
図８：フィルタ幅の関数としての、無限積分およびフィルタテンプレートの限定の使用に起因して導入された打切り誤差（％）。ガウス分布下の面積は（ｘ,ｙ）＞Ｗの場合については比較的小さいので、この誤差はＷ／σのより大きな値については無視し得る。
【００２８】
図９：シグナルｆ（ｘ,ｙ）とフィルタテンプレートｈ（ｘ,ｙ）との織り込みの結果。
【００２９】
図１０：ガウス白色雑音に対するフィルタの効果。フィルタはノイズを顕著に抑制している。
【００３０】
図１１：フィルタリング前後の典型的な細胞画像からの線軌跡。一定のバックグラウンド・レベルは抑制され、細胞は強められている。負の値は画像の中でゼロに設定されている。
【００３１】
図１２：３の典型的な細胞画像の閾値レベル曲線。（ａ）フィルタリング前、カウントした細胞の数は選択した閾値レベルに強く依存している。（ｂ）フィルタリング後、フィルタは閾値曲線のプラトーを伸長し、すべての画像について所定の閾値レベル
【００３２】
図１３：異なるフィルタリング工程における典型的な細胞画像からの線軌跡。ラプラシアン・プレフィルタは画像中の細胞を強く増強し、マッチしたフィルタはノイズを抑制している。
【００３３】
図１４：ラプラシアン・プレフィルタおよびマッチしたフィルタの適用後の閾値レベル曲線。フィルタの効果はより長い水平プラトーで、これによりカウンティング・アルゴリズムが非常に強固なものにする。
【００３４】
図１５：完全カウンティング・アルゴリズムのブロック図。
【００３５】
図１６：画像処理アルゴリズムの異なるステージにおける細胞画像。（ａ）元の細胞画像。（ｂ）ラプラシアン・プレフィルタ後。（ｃ）マッチしたフィルタ後。（ｄ）閾値設定後。
【００３６】
図１７：光学システムの概略図。エポキシレンズ製として示すＬＥＤチップＷ'は１０×対物レンズの後焦点面に像形成し、試料面の平行ビーム発光を生じる。
【００３７】
図１８：ＢＢ’のサイズに対する２の限定状態。（ａ）ＢＢ’が対物レンズの入射瞳よりも大きい場合。（ｂ）ＢＢ’が非常に小さく、大きなビーム系を生じ、光が試料面において消失する場合。ＢＢ’の最適値はこれらの２の限定状態の間のいずれかに存在すると予想される。
【００３８】
図１９：幾何学的光線トレーシング・アルゴリズムの視覚化。赤色光線は妨害された光線であり、緑色光は試料面の視野内に残存する。通過した光線の相対数は発光効率に対応する（画像は一定比率で描かれていない）。
【００３９】
図２０：光線トレーシング・アルゴリズムからのデータにフィットした正規化発光効率の実験データ。実験値は、アルゴリズムによって予想された値とよく合致している。
【００４０】
図２１：カメラからの暗電流雑音の平均値および標準偏差。より長い積算時間でカメラは飽和を獲得した。
【００４１】
図２２：ＬＥＤからの出力シグナルを補正するために、フォトダイオードを試料面に設置し、放射電力を異なるＬＥＤ電流について測定した。既知のＬＥＤシグナルに対するカメラ応答を測定するために、ＣＣＤカメラを試料面に設置し、平均ピクセル強度を測定した。
【００４２】
図２３：ある種のＳＮを生じる積算時間ｔと電力密度とのコンビネーション。
【００４３】
図２４：３の"ゼロ"画像を含む４５の細胞画像の閾値レベル。これらの曲線に基づいて、１００ないし１５０の確実な閾値レベル間隔を確立した。
【００４４】
図２５：異なるＳＮ比（ＳＮＲ）を用いてシミュレートした細胞画像、これらを用いてカウンティング精度に対するＳＮＲの影響を調べた。（ａ）ＳＮＲ＝３、（ｂ）ＳＮＲ＝１０、（ｃ）ＳＮＲ＝２０。
【００４５】
図２６：２のシミュレートした画像の閾値レベル曲線。これらの曲線と図２４における実際の画像から得られた曲線との間の類似に注意されたい。
【００４６】
図２７：シミュレートした画像のＳＮ比の関数としての細胞カウンティングの誤差パーセンテージ。実際の細胞画像における平均ＳＮ比（ＳＮＲ＝２０）において、データはほぼ２％の誤差を示す。
【００４７】
図２８：予想された細胞の数に対するカウントした細胞の数。システムは約１５００細胞／画像まで線形に上昇している（傾き＝０.９８、Ｒ２＝０.９９）。より高い細胞密度においては、細胞カウントはシステムによって実際より少なく見積もられている。低いサンプルサイズに起因してより低い細胞密度においては誤差が上昇する。
【００４８】
図２９：チャンバー表面の異なる側方位置における細胞の数／画像。表面の縁部においては細胞密度が低下する。磁石は、磁石間の中間点で細胞カウントの精度が最も高くなるように設計する。
【００４９】
図３０：イメージング・システムとＳｙｓｍｅｘ（登録商標）血液アナライザーとの間の絶対白血球カウントの間の相関。傾き０.９７、Ｒ２＝０.９５が１００細胞／μｌないし１６,０００細胞／μｌの範囲の細胞カウントについて見出された。
【００５０】
図３１：本発明のイメージング・システムとＢＤ Ｔｒｕｃｏｕｎｔ（登録商標）システムを用いたフローサイトメトリー分析との間のＣＤ４カウントの相関。
【００５１】
図３２：ＣＤ４−標識磁石粒子で分離したＲＮＡ含量に対するＤＮＡ含量の分散プロット。２の異なるクラスターはＣＤ４＋リンパ球および単球を表す。
【００５２】
図３３：全白血球カウントについての画像中の細胞数の時間軌跡。モデルはデータにフィットし、合計Ｎ０＝１１１３の細胞について平均細胞速度ｖ０＝０.２４ｍｍ／秒、標準偏差σ＝０.２１ｍｍ／秒を生じた。
【００５３】
図３４：均一分布に対する単球およびリンパ球のＮ（ｔ）。
Ｎmonocyte＝Ｎlymphocyte＝５００、Ｖmonocyte＝０.２ｍｍ／秒；Ｖlymphocyte＝０.０６ｍｍ／秒
（ａ）σmonocyte＝リンパ球＝０
（ｂ）σmonocyte＝０.０２ｍｍ／秒；σmonocyte０.０６ｍｍ／秒
【００５４】
図３５：均一分布に対する単球およびリンパ球のＮ（ｔ）のシミュレーション
Ｎmonocyte＝４００、Ｎlymphocyte＝６００、Ｖmonocyte＝０.０７ｍｍ／秒；Ｖlymphocyte＝０.２ｍｍ／秒。（ａ）σmonocyte＝０.００２ｍｍ／秒、σlymphocyte＝０.０６ｍｍ／秒
【００５５】
図３６：チャンバーの下で出発したすべての細胞を用いた単球およびリンパ球とのＮ（ｔ）およびＤＮ（ｔ）  Ｎmonocyte＝４００、Ｎlymphocyte＝６００、Ｖmonocyte＝０.０７ｍｍ／秒；Ｖlymphocyte＝０.２ｍｍ／秒
（ａ）σmonocyte＝０.００２ｍｍ／秒、σlymphocyte＝０.００６ｍｍ／秒
（ｂ）σmonocyte＝０.０２ｍｍ／秒、σmonocyte＝０.０６ｍｍ／秒
【００５６】
好ましい具体例の詳細な説明
本明細書中で用いる生物学的、臨床的、電子工学的、数学的および統計学的な表現に関する技術用語は、慣用的に許容されている定義に適合する。
【００５７】
"試料"または"標本"なる語は本明細書中で互換的に用い、組織、髄液、骨髄、血液、または他の源から得られた生物材料をいう。試料には、ウイルス、細菌または他の病原菌も含まれ得る。生物標本の典型的な例は、対象から引き出された血液であろう。本明細書中で用いる"細胞"なる語は、分離してまたは集合物中で同定可能である動物または植物の細胞、細胞からなる細菌、菌類をいう。例えば、細胞はヒトの赤血球（ＲＢＣ）および白血球（ＷＢＣ）集合、ガンまたは他の異常な細胞とし得る。"標的"または"標的集合"なる語は、本明細書中では、分析する生物標本中に存在し得る関心のある生物物質をいう。標的集団のメンバーの典型的な例は、血液試料中のＣＤ４陽性細胞であろう。反対に、本明細書中で用いる"非標的"または"非標的集団"なる語は、生物標本中に存在するが、分析の対象ではない物質をいう。
【００５８】
システム・デザイン
装置の異なるコンポーネント（本明細書中ではそのプロジェクト名"EasyCount"という場合もある）を図１に示す。装置のイメージング部分は落射照明型蛍光顕微鏡をベースとしている。試料チャンバーの表面は、４７０ｎｍの中心波長を有する発光ダイオード（ＮＳＰＢ５００Ｓ, Nichia Corp., Japan）によって照明される。チャンバーの内側表面の蛍光標識細胞から発せられた光は対物レンズによって集光され、ＣＣＤカメラ（ＥＤＣ２０００−Ｎ, Electrim Corp., Princeton, NJ）上にフォーカスされる。これは、０.５５ｍｍ２の試料面積に対応する６５２×４９４ピクセルの画像を生じ、そこでは細胞は暗色バックグラウンドに対する明るい光点として見える。
【００５９】
免疫磁気標識
本明細書中で用いる"特異的結合ペア"なる語は、互いに結合アフィニティーを有して他の分子または基を実質的に排除する分子をいう。特異的結合ペアの例には、抗原−抗体、受容体−ホルモン、受容体−リガンド、アゴニスト−アンタゴニスト、レシチン−炭水化物、核酸（ＲＮＡまたはＤＮＡ）ハイブリダイズ配列、Ｆｃ受容体またはマウスＩｇＧ−プロテインＡ、アビジン−ビオチン、ストレプトアビジン−ビオチンおよびウイルス−受容体相互作用が含まれる。"実質的に排除"なる句は、生物特異的リガンドまたは生物特異的試薬とその対応する標的決定基との間の結合反応の特異性をいう。生物特異的リガンドおよび試薬は、それらの標的決定基に対して比較的高いアフィニティーの特異的結合活性を有し、いまだ他の試料成分に対して、実質的に低いアフィニティーの低レベルの非特異的結合も示し得る。
【００６０】
前記の標的生物基のいずれかに関して用いる場合の"決定基"なる語は、異種親和性免疫応答を誘導する場合がある巨大分子抗原上に存在する化学的モザイクを広くいう。したがって、決定基は"生物特異的リガンド"または"生物特異的試薬"によって特異的に結合され得、特異的結合物質に対する選択的結合に関与および寄与する標的生物基の部分をいい、選択的結合が起こるにはその存在が必要である。したがって、基本用語においては、決定基とは、特異的結合ペア反応において結合アフィニティーを有する因子、リガンドおよび／または試薬によって認識される標的生物基上の分子定常領域である。
【００６１】
"検出可能に標識"なる語を本明細書中で用いて、物理学的または化学的手段によって直接的または間接的のいずれかによるその検出または測定が試験試料中の標的生物基の存在の指標であるいずれかの物質をいう。有用な検出可能な標識の代表的な例には、限定されるものではないが以下のものが含まれる：吸光、蛍光、反射率、光散乱、リン光またはルミネセンス特定に基づいて直接的または間接的に検出可能である分子またはイオン；その核磁気共鳴または常磁性特定によって検出可能な分子またはイオン。例えば、吸光または蛍光に基づいて間接的に検出可能な分子のグループに含まれるのは、適当な基質を変換させる、例えば非吸光性の分子を吸光性の分子にまたは非蛍光性の分子を蛍光性分子に変換する種々の酵素である。
【００６２】
"磁気的に応答性"および"磁気的に標識"なる語は本明細書中で互換的に用いて、それに結合した磁性粒子を有する基をいう。例えば、これらの磁気標識は生物標本に存在する細胞の表面に、または細胞内基に結合し得る。本明細書中に記載する大部分の具体例においては、磁性粒子は所望の標的集団のメンバーに特異的に結合し、非標的基は実質的に排除する。"磁気操作"なる語は、磁気標識した物体を非−磁気標識した物体から磁気的に分離する意図で磁場勾配に生物標本を置くことをいう。電磁石を用いる場合のごとき、生物標本の周囲に磁場勾配が発生する場合にも磁気操作を行い得る。
【００６３】
例えば全血試料から関心のある標的細胞を選択および分離するためには、各々出典明示して本明細書の一部とみなす米国特許第５,５７９,５３１号および第５,６９８,２７１号および米国特許出願第１０／２０８,９３９に開示されているごとく、それを磁性粒子、強磁性流体または強常磁性粒子にコンジュゲートした標的特異的抗体で免疫磁気的に標識する。磁性粒子は典型的には直径約１８０ｎｍ
でストレプトアビジンがコンジュゲートされる第１ポリマー層によって取り囲まれた磁性酸化鉄コアからなる。ついで、標的特異的な抗体をビオチニル化抗体によってストレプトアビジンにカップリングし得る。しかしながら、同様または約５μｍまでより大きなサイズの他の強磁性材料、例えばニッケルから製造される超常磁性粒子を同様にコートし、標的細胞の磁性標識に使用し得る。
【００６４】
最後に、標的細胞上のグリコシド受容体を認識するレクチンおよびボロネート誘導体のごとき代替バインダーをかかる磁気捕捉粒子上の抗体の代わりにまたはそれに加えて使用することもできる。
【００６５】
例えば、関心のある細胞が全白血球集団である場合、血液試料中のすべての白血球集団に実質的に特異的に結合するパン（pan）−白血球ＣＤ４５モノクローナル抗体を用い得る。細胞標識反応は試験管またはバイアル中で行うことができ、そのアリコットを試料チャンバーに移し得る。あるいは、チャンバー自体を約２００μｌまでの体積の標本をインキュベートするために使用し得る。未結合非磁性材料は磁気分離後に上清中で容易に除去可能である。標的細胞の磁気標識効率を向上するために、磁性インキュベーションまたはインフィールド（in-field）・インキュベーションを使用し得る（出典明示して本明細書の一部とみなすＰＣＴ／ＵＳ００／０２０３４）。これを行うためには、試験管中で試料を磁性鉄流体と混合し、四重極高グラジエント磁気セパレータ（ＨＧＭＳ）磁石（出典明示して本明細書の一部とみなす米国特許第５,１８６,８２７号；第５,４６６,５７４号；第５,６４１,０７２号）の内部に短時間入れる。その後に、それを磁石から取り出し、ボルテックス攪拌によって再混合する。この工程をさらに２回繰り返す。四重極磁石はインキュベーションの間に放射磁気グラジエントをデリバリーし、したがって、磁性粒子は壁表面に蓄積する前に試料全体をスイープするビーズ鎖として側方に移動させられる。磁性粒子のこの多重強制移動により、試料中の磁性粒子および標的細胞の単なる分散またはブラウン運動衝突と比較して、磁性粒子がより大きな実質的に非運動性の細胞と衝突または出くわす確率が増大する。試料全体を均一にスイープする他の磁性構造を用いることもできる。
【００６６】
試料チャンバーおよび磁石ホルダー
本明細書中で用いる"観察表面"なる語は、試料チャンバーの光学的に透明な壁をいう。生物標本を視覚的に分析する場合、標的集団が観察表面に隣接して存在することが必要である。これにより、正確な分析を得るために標的集団に明らかに焦点を合わせた光学配置が許容される。標的集団のメンバーを磁気的に標識したら、それらは視覚的分析のために観察表面まで操作し得る。
【００６７】
チャンバーおよび磁性ヨークホルダーは以前に記載されている（各々、出典明示して本明細書の一部とみなす米国特許第５,９８５,１５３号；第６,１３６,１８２号；ＰＣＴ／ＵＳ０２／０４１２４号）。チャンバーは内部寸法３０×２.７×４っｍ、各々長さ×幅×高さの成形体からなる。それは、必要ならばリムーバブルなプラグ・キャップによってシール可能であるＰｙｒｅｘガラス（７７４０  Ｐｙｒｅｘ（登録商標）;Corning International, Germany）の光学的に透明な平らな上面を有する。垂直光線で走査するために水平面に方向付けられた試料チャンバーを示す（図２）。しかしながら、別の機器設計も、垂直に方向付けられた磁性ホルダーおよび水平に方向付けられた光線を有する非キャップの検出チャンバーまたは他の試料キュベットに適合するであろう。
【００６８】
磁性チャンバーのホルダーまたはヨークは、チャンバーが２の磁極片の頂部より２ｍｍ下方に位置するように設計する。磁極片は１３,７００ガウスの内部磁化を有するネオジウム・鉄・ボロン合金からなる（Crumax Magnetics Inc., Elizabethtown, KT）。２の片は搭載されて、ｚ軸に対して７０°角度が付けられたそれらの面の間に３ｍｍのギャップを形成する。図２Ａおよび２Ｂに描かれたこの配置は、チャンバーの内側に磁気勾配を発生し、これはｚ−方向に付き出しており、ｘ−方向においては無視し得る成分を有する。したがって、免疫磁気的に標識した細胞および非結合の強磁性流体粒子は上面まで垂直方向で移動する。イメージされた表面積はイメージされた面積の下の体積画分と直接的に相関する（図２Ｂ）。単位体積あたりの代表的かつ正確な細胞数を得るためには、細胞を均一に分散し、見える表面上に固定化することが重要であり、それにはガラス表面の全面積にわたって磁場状態も均一にすることが必要である。
【００６９】
前記した磁性配置に対するさらなる改良点は、ヨーク・アセンブリーを"バネ上げ（spring load）"することであった。これによって、各試料カートリッジが繰り返し可能な場所に位置付けられる。このため、分析される標本はそれらがイメージされる場合に常にＺ−軸で焦点が合う。このことは、高速アナライザーとしての本発明の装置を用いるために極めて重要である。各試料カートリッジについて独立して焦点合わせすることが最早必要でないからである。試料カートリッジは正確に製造されるため、ヨーク・アセンブリーはすべての試料を常に焦点を合わせて位置付けし得る。
【００７０】
チャンバー中の細胞ダイナミクス
試料中のすべての細胞を磁気的に収集することが極めて重要であるため、細胞を収集表面に到達させるために要する時間を知ることは重要である。磁場に置かれた免疫磁気的に標識した細胞の運動は、細胞にはたらく合計力Ｆに依存する。
この力は等式（１）によって得られる：
【００７１】
【数１】
2005537781.tif 000003
【００７２】
合計力は磁場、引力および粘性抵抗力（viscous drag force）の結果である。この表現中、｜ｍ｜は細胞の磁気モーメントの大きさで、Ｂは磁気誘導である。Ｍ’は（細胞の凝塊）−（細胞が懸濁されている等体積の血清の凝塊）であり、ｇは重力加速度である。抵抗力をストークス法によって概算し、ここにηは媒体の粘度であり、Ｒは細胞径であってｖは細胞の速度である。細胞についてｙ−方向の運動の対応する式は等式（２）によって表される：
【００７３】
【数２】
2005537781.tif 000004
【００７４】
この二階微分方程式は、（３）に示すごとく初期位置ｙ（０）＝０および初期速度ｖ（０）＝０を用いて解くことができる。
【００７５】
【数３】
2005537781.tif 000005
【００７６】
細胞の体積および直径ならびに媒体の粘度は一定値である。細胞の磁気モーメントは細胞膜に存在する磁性粒子の数に依存し、したがって磁気的標識に用いた抗体の型に依存する。細胞の磁気モーメントを計算するためには、細胞あたり１００の磁性粒子の数を仮定する。磁気誘導は磁極の材料および形状によって決まる。磁気的に標識した細胞に作用する力および磁場における細胞の運動の計算に用いるパラメータは、４μｍの細胞径Ｒ、７７ｋｇ／ｍ３の相対細胞密度Ｍ’、９.３２×１０―１４Ａｍ２の磁気モーメント、１.８×１０−３Ｐａの血漿の粘度ηおよびチャンバー底部の２５０ガウス／ｍｍからチャンバー頂部の４００ガウス／ｍｍの範囲の磁気勾配▽Ｂ（低い値を計算に用いた）である。等式（３）から、細胞は数マイクロ秒以内でその最終速度に到達することを計算し得る。したがって、チャンバー中の細胞の速度ｖｉは、実質的に一定である。明らかに、細胞の速度は細胞表面に存在する磁性粒子の数に依存する。すべての細胞がその表面上に同一のエピトープ密度または抗原の数を有してはいないので、細胞の磁性粒子の数に（したがって、速度においても）分布が存在するであろう。チャンバー中の細胞のある種の亜集団の速度は、平均速度ｖ０および標準偏差σを有する正規分布によって表され得る。初期位置ｙ０,ｉおよび速度Ｖｉを有する試料中の特定の細胞に関して、時間ｔにおけるチャンバー中の位置は（４）として書くことができる：
【００７７】
【数４】
2005537781.tif 000006
【００７８】
細胞がチャンバーの表面に到達していることの確率は時間および細胞の速度の関数である。後者は正規分布（５）によって決まる確率パラメータである：
【００７９】
【数５】
2005537781.tif 000007
【００８０】
ある時間ｔにおいて、細胞ｉが表面に到達している確率は（６）によって与えられる：
【００８１】
【数６】
2005537781.tif 000008
【００８２】
式中、ｙｓｕｒｆはチャンバーの高さである
【００８３】
試料はチャンバーに入れた直後に磁場に曝されるため、試料中の細胞の分布は均一であると仮定する。大きな集団の細胞に関しては、表面の細胞の期待数（Ｎ）は、（７）によって得られるチャンバー中のすべての細胞についての個々の確率（individual probability）Ｐｉの積分によって見出すことができる。
【００８４】
【数７】
2005537781.tif 000009
【００８５】
式中、Ｎ０は試料中に存在する細胞の合計数である
【００８６】
一定の細胞集団に関する時間の関数として表面に存在する細胞の期待数（Ｎ０＝５００）を図３にプロットし、ここで異なる曲線は異なる速度分布を表している。図３ａにおいては、平均細胞速度ｖ０は一定であるが、σについて異なる値を用いている。図３ｂにおいては、σは一定に維持され、異なる平均細胞速度を用いている。曲線の初期傾きがチャンバー中の平均細胞速度に対応することが観察されるべきであり、事実、等式（７）を解くと等式（８）になる：
【００８７】
【数８】
2005537781.tif 000010
【００８８】
他の試料チャンバーのデザインも同様に構想される。例えば、より浅いカートリッジはより短い分離時間を可能とし得、分析を標的基につきより選択的とし得る。非標的基は、おそらく低レベルの抗原発現を通してまたは磁性粒子の非特異的な結合を通して、磁気的に標識されることが観察された。しかしながら、これらの磁気的に標識された非標的基は、特異的に標識された標的基よりも遙かに低い磁気応答である。試料チャンバーを異なるサイズにし得るなら、これらのより弱い磁性基は試料チャンバーの観察表面まで移動せず、"偽陽性"カウントに寄与しないであろう。
【００８９】
試料の透明さ
試料チャンバーの観察または画像キャプチャ領域に空気泡が導入されることを回避するために、磁石／チャンバーアセンブリーを水平面に対して約８°の角度で置いた。ついで、細胞カウントに対する影響を約０、１０、２０および９０°の角度で評価した。種々の高さ角度において顕著な差異は全く観察されなかった。
【００９０】
イメージング・システム
白血球の蛍光染色
凝集した細胞を検出可能にするために、試料を生細胞の核ならびに細胞質の幾つかの構成物を染色する生命に関する色素であるアクリジンオレンジ（AO; Molecular Probes, Inc., Eugene, OR）を用いて染色する。アクリジンオレンジは４９０ｎｍにその吸収ピークを有史、ＤＮＡに結合した場合には５２０ｎｍｎで発する。Ｈｏｅｃｈｓｔ３３２５８およびＨｏｅｃｈｓｔ３３３４３のごとき他の蛍光色素を用い得る。一般的に、細胞、細胞質、細胞質核物質または核自体を非特異的に染色するいずれの蛍光色素も使用し得る。本明細書中においてこれらの色素は"非特異的蛍光色素"という。
【００９１】
一般的に、蛍光顕微鏡の照明は水銀アークまたは石英−ハロゲンランプによって達成されている。ある種の顕微鏡システムにおいては、照明により高価なレーザーが用いられている場合もある。しかしながら、半導体における最近の進歩により、白熱光源およびレーザーに匹敵し得る低出力で高輝度の発光ダイオードが開発につながっている。光源としてＬＥＤを用いる利点は、それが比較的コンパクトかつ安価であって、長寿命、および簡単に取り替えられることである。ＬＥＤのスペクトル出力分布は、基体材料に依存して約２０ないし５０ｎｍの半値幅を有して実際に狭い。ＬＥＤは非常に飽和したほぼ単色の光を生成し、本発明のコンパクトかつ安価なサイトメーターデバイスを組み立てるのに理想的である。
【００９２】
オプティクス
ＬＥＤからの光は２７ｍｍの焦点距離を有する集光レンズによって集められ、４５５ＤＦ７０バンドパス・フィルタ（Omega Optical Inc., Brattleboro, VT）を通り、５１５ＤＲＬＰダイクロイック・ミラー（Omega Optical）によって反射され、１０×、０.２５ＮＡの対物レンズ（Nikon Corporation, Japan）の後焦点面に焦点合わせされる。この光学構成によって、試料エリアの均一な照明が生じる。チャンバーのガラス表面の下側に集められた蛍光細胞から発せられた光は対物レンズによって集められ、その後に５５０ＤＦ３０バンドパス・フィルタ（Omega Optical）によってフィルタリングされ、ＣＣＤカメラ（ＥＤＣ２０００−Ｎ, Electrim Corp., Princeton, NJ）上にフォーカスされる。図１Ａは従来の落射照明（epi-illumination）モードのものである。図１Ｂは"フラッドライト"配置の１またはそれを超えるＬＥＤを有する直接側方照明の観察表面を示し、これは十分な励起エネルギーを提供し、よりシンプルかつあまり高価でない照明モードを提供する。
【００９３】
カメラ
このセットアップに用いたカメラ（ＥＤＣ２０００−Ｎ, Electrin Corp, Princeton, NJ）は０−３０,０００エレクトロンのダイナミックレンジを有する。製造業者によって得られたものとして、その読出しノイズのｒ．ｍ．ｓ（二乗平均）は２０エレクトロンである。暗電流ノイズおよびアンプノイズに関するデータは提供されていない。画像はソフトウェアによってカメラから復元され、８ビットＴＩＦ画像としてコンピュータメモリーに保存される。
【００９４】
画像処理および画像解析
光学システムから得た画像中の細胞をカウントするためにアルゴリズムを開発した。最初に、モデルを提示して細胞画像を説明する。ついで、画像のスポット検出の方法を導入する。まず、これらのアルゴリズムをデスクトップ・コンピュータ上で実行する。本発明の改良された具体例では、ＣＣＤカメラ内に埋め込まれたプロセッサを用いて画像を分析する。
【００９５】
画像モデル
このシステムにおいては、蛍光標識した細胞は対象面のランダムなポジションに位置する。これらの細胞は画像面中の約２０−５０ピクセルをカバーするスポットとして画像化される。図４Ａに提示した細胞画像のサンプルでは、画像の細胞を幅σｐを有する二次元ガウスとしてモデル化し得る：
【００９６】
【数９】
2005537781.tif 000011
【００９７】
バックグラウンドおよびノイズシグナルを含む、ランダムに分布した細胞を含む全体画像ｆ（ｘ,ｙ）は以下のモデルによって記載される：
【００９８】
【数１０】
2005537781.tif 000012
【００９９】
式中、Ｃｉは細胞のピーク強度であり、Ｃ０は徐々に変化するバックグラウンド・レベルであり、これは細胞に加わる。このバックグラウンド・シグナルは試料中の遊離した、非結合の色素によって発生し、同質でない照明の結果として徐々に動揺し得る。推計ホワイトノイズ（stochastic white noise）成分は成分ｎによってモデル化し得る。ノイズの発生源にはＣＣＤカメラからの熱および読出しノイズが含まれる。このモデルに基づき、本発明者らは画像中の細胞ｉのＳＮ比（ＳＮＲ）を決めることができる：
【０１００】
【数１１】
2005537781.tif 000013
【０１０１】
式中、σｎはノイズ成分ｎの標準偏差である。
【０１０２】
画像モデルには、存在する細胞画像を分析することによって予測することができるパラメータが含まれる。この目的のために、１０の画像を分析し、これは機器によって得られた典型的な画像を表している。表１中に、１０のテスト画像についての画像パラメータを示す。画像には、異なるピーク強度を有する細胞が含まれる。平均ＳＮＲは、画像中の平均ピーク強度を有する細胞のＳＮ比である。
【０１０３】
【表１】
2005537781.tif 000014
【０１０４】
スポット検出
表１に示すごとく、画像のＳＮ比（約２２）は驚くべく高く、全観察エリアにわたってほぼ一定である。このことは、細胞のカウントを高い特異性で行い得ることを示唆している。最適化された方法は閾値をあてはめて二元画像を作成することからなり、ここでは細胞は値１（白色）を得、バックグラウンドおよびノイズは値０（黒色）を得、画像中の"白色"スポットをカウントする。明らかに、細胞をカウントする最も簡単な方法は、プレセット閾値レベルを用いることにより、これはすべての画像に対して一定である。しかしながら、実際には、この方法は選択した閾値レベルに非常に依存することが判明した。これを図５に視覚化する。これには、閾値レベル曲線として定義される曲線が含まれている。これらの曲線は、あてはめられた閾値レベルに対してプロットした細胞画像中のカウントされた対象の数が示されている。典型的な細胞画像の３の閾値レベル曲線を示している。
【０１０５】
図５中の曲線は、カウントされた対象の数の初期の増加が示されており、そこでは閾値レベルは画像のノイズレベルと同じ範囲内に存在する。これは、多くのノイズピクセルが１を割り当てられるからである。さらに閾値レベルを増加させることによって、最大に達し、つづいてプラトーになる。このプラトーにおいては、ノイズは閾値よりも小さく、すべての細胞は閾値より大きい。したがって、このプラトーは細胞の実際の数に対応する。しかしながら、このプラトーが比較的フラットであるところでは、制限された閾値レベルの範囲しか存在しない。これは：
【０１０６】
１．細胞の強度分布。かすかな蛍光細胞はノイズレベルのすぐ上に存在する一方で、より明るい細胞は大きなＳＮ比を有し、閾値レベルが増加するに従ってカウントされる細胞の数が徐々に減少する。
【０１０７】
２．ＣＣＤカメラ中のブライト（ブロークン）・ピクセル（bright (broken) pixel）のごとき典型的でないアーティファクトの存在。閾値レベルが画像の最大ピクセル強度である２２５まで増加するに従って、曲線は徐々にゼロまで低下する。図５は、予め設定したレベルが正確な細胞カウントを生じる場合に狭いレンジしか利用し得ないことを示している。さらに、バックグラウンド強度における変動は曲線を水平にシフトし、したがって細胞カウントを選択した閾値レベルに非常に強く依存するものとしていまう。したがって、カウントをより確固とし、選択した閾値レベルにあまり依存しない方法が望まれている。したがって、図５中の細胞の実際の数に対応するプラトーを広げる方法を開発する必要があり、選択したアプローチはマッチしたフィルタ・アルゴリズムを用いて閾値設定前に画像を高める。このアルゴリズムは非線形ラプラシアン・プレフィルタリング工程で拡張して、細胞カウントプロセスをさらに改善した。また、細胞がクラスター中で一緒に接近しているように見える場合には、画像解析用の以下の方法が個々の細胞を識別するのに極めて首尾よいことも予期せぬことに観察された。
【０１０８】
マッチしたフィルタ・アルゴリズム
マッチしたフィルタ・アルゴリズムは観察された画像ｆ（ｘ,ｙ）と好適に選択されたテンプレートｈ（ｘ,ｙ）の間の相関を計算する。相関はテンプレートと画像との間の類似性の測定である。画像ｆ（ｘ,ｙ）とｈ（ｘ,ｙ）との間の相関は、２の関数を畳込むことによって計算する：
【０１０９】
【数１２】
2005537781.tif 000015
相関は細胞の位置において最大化されるべきである。
【０１１０】
【数１３】
2005537781.tif 000016
【０１１１】
細胞の良好な検出は、真の細胞を見逃す確率が低いこと、および、真の細胞でない画像ポイントをカウントする確率が低いことを意味する。これはＳＮ比（ＳＮＲ）により数学的に表現される。両方の確率は、単調に低下するＳＮＲの関数である。したがって、良好な検出にはＳＮＲを最大化することが必要である。
【０１１２】
さしあたりバックグラウンドを無視すると、画像中のスポットｉのＳＮＲは、細胞ピーク強度およびノイズの標準偏差の比率によって決まる：
【０１１３】
【数１４】
2005537781.tif 000017
【０１１４】
画像とテンプレートｈ（ｘ,ｙ）とを畳込むと、ＳＮＲを：
【０１１５】
【数１５】
2005537781.tif 000018
【０１１６】
に変化するであろう。
【０１１７】
ｈ（ｘ,ｙ）＝ｐ（−ｘ,−ｙ）の場合にＳＮＲが最大化されることは、シュワルツ不等式を用いることによって示し得る。これは、最適なテンプレートが単純に細胞の鏡像であることを意味している。これは、方法を、通常はマッチしたフィルタリングまたはテンプレート・マッチングとする理由である。本発明者らの細胞モデルに関しては、バックグラウンド・シグナルが存在しない場合、Ｃ０（ｘ,ｙ）、ｈ（ｘ,ｙ）は対称で、したがってｐ（ｘ,ｙ）に等しい：
【０１１８】
【数１６】
2005537781.tif 000019
【０１１９】
ここで、ガウス下の体積は単位に正規化する。テンプレートの断面を図６に示す。徐々に変化するバックグラウンド・レベルＣ０（ｘ,ｙ）の影響を排除するためは、ＤＣ除去が必要である。これは、テンプレートｈ（ｘ,ｙ）がゼロ平均値を有するようにそれを正規化することによって達成し得る（図７を参照されたい）。
【０１２０】
【数１７】
2005537781.tif 000020
【０１２１】
式中、Ｅｈはｈ（ｘ,ｙ｜Ｃ０（ｘ,ｙ）＝０）の平均値である。一定のシグナルはフィルタリング後のゼロ値を与え、これはｈ（ｘ,ｙ）を一定値と畳込むことによって簡単に示し得る。
【０１２２】
Ｃ０（ｘ,ｙ）は不均一な照明の結果であるため、照明プロフィールを決定し、それを画像ｆ（ｘ,ｙ）から差し引くことによってもＤＣ除去を行い得る。しかしながら、ＤＣ除去を空間フィルタリングと同時に行い得るという事実はそれを好ましい方法とする。Ｃ０（ｘ,ｙ）がテンプレートのエリア内でほぼ一定であるようにバックグラウンドの空間周波数が十分に低い限りは、Ｃ０（ｘ,ｙ）は排除されるであろう。
【０１２３】
テンプレートは有限であるので、ｈおよびｆの積分は−ＷからＷまでである。下記計算においては、無限積分を用いて（有限）マッチしたフィルタの効果を概算する。これは打ち切り誤差を導入する。しかしながら、後に示すような場合であるＷ＞２σｐである限り、｜ｘ｜＞Ｗのガウス下の面積が比較的小さいため、誤差は無視し得るであろう。有限テンプレートを用いながら無限積分を計算することによって作成される誤差を図８に示す。
【０１２４】
画像ｆ（ｘ,ｙ）にマッチしたフィルタｈ（ｘ,ｙ）をあてはめると、フィルタした画像ｇ（ｘ,ｙ）が得られる：
【０１２５】
【数１８】
2005537781.tif 000021
【０１２６】
細胞ｉの中央位置のｇ（ｘ,ｙ）のシグナル部分はｆおよびｈの積として記載し得る：
【０１２７】
【数１９】
2005537781.tif 000022
【０１２８】
Ｗ＞２σｐについてはＥｈ〜１／４Ｗ２であると認めると、フィルタリング後の細胞ｉのピーク値を：
【０１２９】
【数２０】
2005537781.tif 000023
【０１３０】
と概算し得る。
【０１３１】
図９中に畳込みの結果を提示する。この場合、σｐ＝２およびＷ＝４.５である。ｇの最大値は、モデルから予想されるｆの最大値のほぼ０.３４倍である。負のサイドローブは、フィルタ・テンプレートの負の部分の結果としてのようである。ｆの一定のバックグラウンドはｇにおいて抑制されている。
【０１３２】
ノイズはゼロの予想値を有する固定の、シグナル依存性のホワイト・ガウスノイズと仮定する。フィルタをあてはめた後のその標準偏差σｎは：
【０１３３】
【数２１】
2005537781.tif 000024
【０１３４】
と記載し得る。
【０１３５】
フィルタはノイズの高周波数成分を抑制し、それによってσｎを低減している。それを、ガウス・ホワイトノイズをフィルタリングの前後にシミュレートしている図１０に示す。フィルタリング後の標準偏差はモデルと一致して０.１７σｎである。
【０１３６】
したがって、細胞ｉのＳＮＲはここではＷ＞２σｐに関して：
【０１３７】
【数２２】
2005537781.tif 000025
【０１３８】
である。フィルタリング前は、ＳＮＲｉ＝Ｃｉ／σｎであり、したがってＳＮＲにおける利得は：
【０１３９】
【数２３】
2005537781.tif 000026
【０１４０】
である。
【０１４１】
σｐ＝２であってＷ＝４.５、Ａ＝２.１の場合、ＳＮＲにおける利得はガウス分布の幅σｐに比例する。ガウス分布の幅が増加する場合により多くのノイズが濾過される傾向があることが観察された。したがって、マッチしたフィルタを用いた画像のフィルタリングはＳＮ比を向上することが判明した。さらに、フィルタは検出を向上した。分離したブライト・ピクセルのようにテンプレートに合致しない対象は効率的に抑制されるからである。
【０１４２】
アルゴリズム・パラメータ
試料中の細胞は異なって形作られ、異なる大きさとなり得るが、細胞画像中のすべての細胞は同様の形のものであってほぼ等しいサイズのものである。これは光学システムの倍率およびポイント・スプレッド関数の生じる影響に起因するものである。画像中の細胞の概算幅σｐは知られているので、それはマッチしたフィルタ・アルゴリズムに直接用い得る。フィルタが細胞サイズに正確に合致する場合にはフィルタが最良に働くことが以前のセクションで示されている。細胞画像中の幾つかの細胞を視覚検査することによってσｐ＝２の平均値を決定した。最適化するために残されている最終パラメータは、テンプレート・ウインドウの幅、Ｗである。テンプレートの境界のピクセルの寄与は、Ｗ＞２σｐの場合には、それらはゼロに近いため非常に小さいであろう。小さいテンプレートを用いる場合、より少ないノイズおよびアーティファクトしかフィルタされないであろう。経験的には、Ｗ＝４.５が細胞検出に最適であることが判明した。これにより、９×９ピクセルのテンプレートを生じる。Ｗ＞２σｐのため、以前のセクションの概算条件は満たされる。
【０１４３】
図１１は典型的な細胞画像のオリジナルバージョンおよびフィルタ済みバージョンからの線軌跡である。Ｗ＝４.５およびσｐ＝２に関するマッチしたフィルタの効果を示す。図１１においては負の値をゼロに設定していることに注意されたい。
【０１４４】
閾値
フィルタ済み画像はすでに必要な段階である閾値化に対して準備が整っている。対象のカウントは二元画像においてのみ行い得るからである。以下の操作をｇ（ｘ,ｙ）にあてはめる：
【０１４５】
【数２４】
2005537781.tif 000027
【０１４６】
これはバックグラウンドおよびノイズから細胞を分離するにちがいない。ｔ０の選択が細胞カウントプロセスにおいて極めて重要であることは明らかである。ｔ０が小さすぎると真の細胞に対応しない対象を導入する一方、ｔ０が高すぎると過小または不正確な細胞カウントを生じる。
【０１４７】
アルゴリズムの性能
テンプレートに合致するアルゴリズムの効果を図１２に示す。ここでも、画像中のカウントされた対象の数を閾値レベルに対してプロットしている。この場合、９×９ピクセルのテンプレートをσｐ＝２で用いた。フィルタは３の異なる細胞画像に対してあてはめた。図は、一定数の細胞が存在する閾値範囲がフィルタしない場合よりもより長いことを示している。また、ＤＣ除去の結果として曲線は左にシフトしている。このことは予期せぬ利点である。オリジナルの画像中のバックグラウンド・レベルにかかわらず、プラトーは常に同じ出発点を有するからである。この発見により、すべての画像にあてはめることが可能な所定の閾値レベルを遙かに簡単に確立することができる。
【０１４８】
非線形ラプラシアン・プレフィルタリング
以前のセクションに示した閾値曲線は、マッチしたフィルタ単独によってカウントプロセスがより強固となるが、曲線の徐々の低下がより高い閾値レベルでいまだ観察されることを示している。これは、画像中の細胞強度に顕著な変動が存在するという事実に起因する。線形のマッチしたフィルタはこの変動を変化しない。アルゴリズムの強固さをさらに改善するための１の方法は、マッチしたフィルタリングの前にプレフィルタリング工程をあてはめることであり、それは細胞強度における変動を低減する。これは、画像の縁部を強力に増幅するラプラシアン・フィルタによって行った。それは、以下の５×５の零空間を有する：
【０１４９】
【数２５】
2005537781.tif 000028
【０１５０】
このフィルタは画像中の細胞を強力に強めるであろう。そして、ノイズの標準偏差を増大させる。事実、ＳＮＲはこのフィルタをあてはめることによって僅かに低下する。しかしながら、このフィルタが有用である理由は、細胞の形状はほぼ変化しないままであることが判明しており、大部分の細胞が画像の最高の強度レベルに留まるほど増幅が大きいことである。このことは、フィルタをあてはめた後は、細胞の強度における変動が低減する、すなわち、すべての細胞がほぼ同じ弱いピーク強度を有することを意味している。
【０１５１】
マッチしたフィルタを再度あてはめるが、この時点ではプレフィルタリングした画像にあてはめる。マッチしたフィルタは僅かに上昇したノイズレベルから細胞を抽出する。それはフィルタに"マッチした"対象のみを増幅するからである。細胞をフィルタに合致させるが、ノイズはたいてい高周波数のものである。これは、３の異なる段階の画像の線軌跡を示している図１３において観察される。ピークを留めるという事実は、マッチしたフィルタの性能に実際には影響しなかった。
【０１５２】
図１４は、ラプラシアン・プレフィルタおよびマッチしたフィルタをあてはめた後の閾値レベルの曲線を示している。ここでは細胞が多かれ少なかれ同じ強度を有することに起因してプラトーはより長い。３の画像の閾値レベル曲線しか示していないが、膨大な数の画像を分析し、驚くべきことにすべてのケースにおいてアルゴリズムが非常に強固であることが判明した。
【０１５３】
細胞カウンティング
二元画像で対象をカウントすることはよく知られている方法であり、ソフトウェアで容易に実行される。したがって、カウンティング・アルゴリズムの簡単な説明だけを供する：
【０１５４】
１．二元画像はピクセル単位でスキャンする（頂部から底部および左から右まで）。
【０１５５】
２．スキャンのオペレータが値１を有するピクセルｐをヒットした場合は、それに標識を割り当てる。見出された最初のｐは標識１を得る。
【０１５６】
３．オペレータは、スキャンですでに出くわしているｐの近隣（すなわち、ｐの左、ｐの上方、および２の斜上方の限界点の近隣）を調べる。この情報に基づいて、ｐの標識を以下のように行う：
・４の近隣のすべてが０である場合には、新たな標識をｐに割り当てるほか
・１の近隣のみが値１を有する場合には、その標識をｐに割り当てるほか
・１またはそれを超える近隣が値１を有する場合には、標識のうちの１をｐに割り当て、２の近隣の標識が同等であることを注意する。
【０１５７】
スキャンを行った後、第２のパスを行い、そこではすべての等価な標識がユニークな標識と置換される。ここで、標識の数は、画像中の領域の数に対応する。完全なセルカウンティング・アルゴリズムの概略表示は図１５に示す。ラプラシアン・フィルタを用いた最初のたたみこみの後、画像値は０ないし２２５の間の値に制限される（８−ビットフォーマット）。ついで、マッチしたフィルタをあてはめる。その結果、負の値および２５５よりも大きな値が生じることが観察された。ついで、画像を８−ビットフォーマットの尺度に戻して、それを元の画像と両立可能にし、元の画像とフィルタリングした画像とを比較し得るようにする。図１６は典型的な非処理細胞画像、ならびに異なる処理工程の細胞カウントプロセス後の劇的に改善された画像を示す。これらのイメージング工程は画像の品質および解像度を改善することにおいて驚くべきかつ予期されないほど非常に有効であり、それは本発明のアルゴリズムの本質である。
【０１５８】
単純化されたテンプレートマッチ解析
画像解析のもう１の方法を以下に記載するごとく開発し、適用した。画像を獲得し（Sony ICX0185ALセンサーを備えたＣＣＤカメラ）メモリーに保存した後では、画像サイズは１３００×１０３０ピクセルである。光学配置によって、各ピクセルが６.７×６.７μｍの面積を表示することが可能である。ついで、専用の画像解析ルーチンを適用して、あまり明るくないバックグラウンドに対して明るい対象（細胞）を見出す（白色は２５５、黒色は０）。この画像解析方法は２の領域、内部の方形（零空間）および回りの領域を解析することに依存している。最新の倍率を用いると、零空間は７×７ピクセルであって、外側領域は内部零空間方形を取り囲む１３×１３ピクセルの方形である。
【０１５９】
最初に、零空間を含まない外側領域の平均輝度を算出する。ついで、零空間の平均輝度を算出する。これらの平均を毎ピクセルを取り囲む領域について算出する（零空間の中心はピクセル番号を同定する）。つぎに、内部零空間領域の平均を外側領域の平均から差し引く。差が閾値よりも大きい場合、事象が見出され、記録される。ついで、１ピクセルごと解析領域をシフトし、再度、平均値を算出する。差が閾値よりも大きい場合には、新たな事象が見出されるであろう。
【０１６０】
つぎに、事象間の距離が７ピクセルよりも小さい場合には、２の事象は同一の対象に帰属する。対象の中心は、零空間領域と外側領域との間の平均強度の差が最大となるピクセルを決定することによって見出される（ベストフィット）。取り囲む領域のサイズは１３×１３ピクセルであるため、画像の対象の中心から縁部までの最小距離（水平および垂直）は１３／２＝７ピクセルである。最初の７ピクセルに存在する事象は検出されない。
【０１６１】
この修飾型テンプレート・マッチング法は以前のテンプレート・マッチング法を超える幾つかの利点を有している。最初に、これにはより小さな計算電力および時間しか要しない。典型的なテンプレート・マッチング・アルゴリズムは対象形状の完全なガウス分布プロフィールを見るため、デスクトップ・ワークステーションを用いる場合は画像を処理するための時間が時間単位となる。しかしながら、単純化されたテンプレート・マッチング・アルゴリズム（内側方形および外側の取り囲む領域）を用いた場合、分析時間はおよそ数分である。さらに、この解析はＣＣＤカメラに内在するプロセッサ上で行い得る。
【０１６２】
単純化されたテンプレート・マッチング・アルゴリズムのもう１の利点は、プレフィルタリングがもはや必要でないことである。単純化された方法は、それが取り囲む領域に対して零空間領域を比較するため、本質的にバックグラウンド・ノイズを除去する。単純化された方法を用いた解析時間の減少は、プレフィルタリング工程が必要でないことの結果でもある。
【０１６３】
ユーザーインターフェース
１の具体例において、処理された画像からのデータは従来のＬａｂＶｉｅｗユーザーインターフェースを介して評価する。幾つかの他の専用インターフェースも開発されており、各々それ自体のアプリケーションを有する。１のかかるインターフェースは、ユーザーが画像をロードし、フィルタ・パラメータを調整し、フィルタリングおよび閾値設定工程を行い、閾値曲線を得て画像中の細胞の数を評価することを許容する。また、多重画像を処理し、画像ヒストグラムを得て、カメラからの画像をリアルタイムでキャプチャすることを含む、他の目的に開発された他のユーザーインターフェースもある。
【０１６４】
最初に、カメラから得られた画像を処理するためにデスクトップ・コンピュータが必要である。しかしながら、資源に乏しい設定における細胞カウンティングのごとき適用においては、ＡＣ電源供給および高価なコンピュータ知識に依存せず、しかも簡単に実行し得るシステムを使用することが好ましい。最近使用されているコンピュータに置き換え得る可能なコンポーネントは、"スマートカメラ"、すなわち、オン−ボード統合画像処理ハードウェアおよびソフトウェアを有するデジタルカメラである。かかるカメラは画像処理アルゴリズムを行い、その結果を例えばパームトップコンピュータまたはデジタルディスプレイに出力し得るものでなければならない。かかるスマートデジタルカメラは最近では市販されている。それらは、通常、ＣＣＤ、および画像処理タスクのプログラミングを可能にするデジタル信号プロセッサからなる。コンピュータの代わりにかかるカメラを用いる場合、光源および電子部品の両方に対する電源としてバッテリーを使用することが可能である。また、装置の物理学的寸法および占める面積も処理において顕著に減少し、それによって本発明において開示するコンパクト装置の構成が可能になる。
【０１６５】
照明効率
光源
２の異なるＬＥＤの発光スペクトルは、冷却ＣＣＤカメラ（Princeton Instruments Inc., Monmouth Junction, NJ）と組み合わせたモノクロメータ（HR460, Jobin Yvon SA, France）を用いて測定する。モノクロメータは、ＬＥＤ光を回折し、それをＣＣＤカメラに投射する１２００ライン／ｍｍの回折格子を備えている。ネオンランプのスペクトル線を波長スケールのキャリブレーションに用いた。測定は１、２５および５０ｍＡの駆動電流で行った。測定したスペクトルは、ＬＥＤ１(NSPB500S, Nichia Corp., Japan）およびＬＥＤ２（110106, Marl International Ltd., Ulverston, UK）がほぼ同じスペクトル特性を有することを示している。これは、ＬＥＤが異なる会社から得られたにもかかわらず、両方とも同様のダイオードを含むことを示唆している。顕微鏡による視覚での調査はこの推測を支持している：両方のダイオードは構造および形状において同じである。４７０ｎｍから４６７ｎｍのスペクトル青色シフトならびにスペクトルのブロードニングが駆動電流を上昇すると観察された。これは、ＧａＮ物質における局在状態のバンド・フィリング（band filing）に寄与し得る。
【０１６６】
照明モデル
照明光学経路の概略図を図１７に示す。ダイオードの正面のエポキシレンズはダイオードチップによって発せられた光を平行にする。これは、１５°の発光角度を有するビームを生じる。集光レンズ（ｆ＝２７ｍｍ、φ３０ｍｍ）は、試料面の平行ビーム照明を生じる、５ｍｍの入射瞳ａｏｂｊを有し、１０×対物レンズの後焦点面にダイオードの発光エリアの画像を作り出す。ダイオードとエポキシレンズとの間の距離はこのレンズの焦点距離よりも短く、エポキシレンズの正面にダイオードの拡大された虚像画像を生じる。次のレンズ、集光レンズの物体距離は：
【０１６７】
【数２６】
2005537781.tif 000029
【０１６８】
と記載することができ、式中、ｄはエポキシレンズと集光レンズとの距離である。これは、像距離ｂcondenserについて下記の表現を生じる：
【０１６９】
【数２７】
2005537781.tif 000030
【０１７０】
式２７からｂＬＥＤ＋ｄ＝ｆcondenser（＝２７ｍｍ）の場合、ｂcondenserは無限大になる。
【０１７１】
ｄに関して異なる値のｂcondenserを決定することによって、ｂＬＥＤは１９ｍｍであることが実験的に判明した。均一な照明を維持しつつ変化させる唯一のパラメータはＢＢ'、対物レンズ正面のダイオードのサイズである。試料面における光強度を最大化するためには、ＢＢ’の最適値を決定する必要がある。２の制限状態は区別し得る：
１．ＢＢ’＞＞ａｏｂｊ：ダイオード像が対物レンズの入射瞳よりも遙かに大きく、入射角が小さい。これは、対物レンズに入るすべての光が視野内に閉じ込められる。しかしながら、一部分の光は対物レンズの正面、入射瞳の外側で実際に失われる（図１８ａ）。
２．ＢＢ’＞＞ａｏｂｊ：ダイオード像は点光源のようである。光は大きな角度で対物レンズに入射するが、小さい入射角を有する光のみが最後に視野になる。一部分の光は試料面において失われる（図１８ｂ）。
【０１７２】
本発明者らは軸外し光線を生じる伸長した（extended）光源を扱っているため、照明効率について分析表現を確立することは容易でない。また、エポキシレンズ、対物レンズ入射瞳および試料面の視野で、異なる開口絞りを用いている。これらの開口絞りは一部分の光を遮断するが、実際の量は光学コンポーネントの構造に依存する。
【０１７３】
分析的な解法を得ることは困難なため、基本的幾何学光線トレース・アルゴリズムを開発して照明の効率を予想した。光源は２ｍｍの直径を有する円形ディスクとしてモデル化した（ＶＶ'と等しい）。光源はその領域にわたってかつすべての方向に均一に発光する。効率を計算するために、光源から生じる多数の光線を光学システムを介してトレースし、開口絞り毎に光線が妨害されているかまたは通過し得たかをチェックした。効率は、（試料面に達する光線の数）／（ＬＥＤのエポキシレンズを離れる光線の総量）として定義した。アルゴリズムの視覚化を図１９に示す。ここでは、妨害された光線および試料面に達する光線の両方が示されている。図１９においては、ＬＥＤからの光線の最大角度がエポキシレンズによって決まること、および、幾分かの光線が対物レンズの正面で遮断されることが観察される。さらに、幾分からの光線は試料面の視野の外側になる。照明効率を異なるサイズのＢＢ’について算出した。ＢＢ’を制御するためには、物体距離Ｖcondenserおよび像距離ｂcondenserを変化させた。実際にＢＢ’について最適値が存在し、そこで照明は最も明るく、この最適値はＢＢ’＝４ｍｍに見出される。
【０１７４】
キャリブレーション・カートリッジ
既知量の合成傾向ビーズを含有するキャリブレーション試料チャンバーを製造し、システムのＣＣＤによって検出可能であることを示した。これらの対照チャンバーはポリマーマトリクスに埋め込まれたビーズを有する。これらのカートリッジをイメージすることによって、機器を試験して各システム（照明、オプティクス、検出、計数および報告）が適正に機能していることを確かめことができる。さらに、これらのカートリッジは機器製造の間の品質制御および初期キャリブレーションに非常に有用であろう。
【０１７５】
システムを最適化および特徴付けするために行った種々の実験の記載を提供する。広範囲の実験および測定を行って、光源のスペクトル特性、照明の最適方法およびＣＣＤカメラの性能を決定した。さらに、先のセクションに記載した画像解析アルゴリズムの性能を試験し、非常に有効であることが判明した。下記の実施例に記載する実験を用いて、本発明の能力を説明する。それらは本発明の範囲またはその使用を限定することを意図するものではない。
【０１７６】
実施例１
システム特徴付け
理論的予測を評価するために、以下の実験を行った。フォトダイオードは対物レンズの正面、試料面に設置した。ダイアフラムは、フォトダイオード上の発光領域を１.６ｍｍの直径を有するディスクに限定した。ＬＥＤおよび集光レンズは、ダイオードクリップの像が対物レンズの後焦点面に作り出され、この像のサイズがほぼピンポイントの光源から２５ｍｍまで変化するように、異なる配置で設置した。実験の結果を図２０に示し、ここでは光線トレーシングアルゴリズムから得られた曲線を実験データと一緒に示している。アルゴリズムによって予想されるように、最適値は、対物レンズの後焦点面の像のサイズについて見出された。曲線の形状はＢＢ’の大きな値を除いてアルゴリズムによって予想される状態に類似しており、ここで実験はほぼゼロの効率を示している。これは、実際の光源は均一かつ円形の代わりに不均一および四角であるという事実の結果であるかもしれない。モデルおよび実験の両方の結果は、両方ともＢＢ’についての最適値が４ｍｍであることを示すことで一致している。これは、以下のパラメータ、Ｖcondenser＝４６ｍｍおよびｂcondenser＝８３ｍｍを用いて実現した。構成の物理学的寸法がこれらのパラメータを可能にした。したがって、最適照明を得るためにそれらを選択した。
【０１７７】
倍率
光学システムの倍率は、キャリブレーション・グリッド（calibration grid）をイメージングすることによって決定する。グリッドの間隔は２５μｍ／ラインである。したがって、視野は０.６５ｍｍ×０.８５ｍｍであり、像サイズは４９４×６５２ピクセルであり、したがって単一のピクセルは試料面における１.７μｍ２に相当する。画像に含まれる試料面の総面積は０.５５ｍｍ２である。
【０１７８】
測定体積
試料中の遊離および非結合色素は、ＣＣＤカメラにおいてバックグラウンド・シグナルを発生する。このシグナルはＬＥＤによって照射された試料体積に依存し、また、試料の光学特性にも依存することが判明した。全血の１０×希釈液の試料に関する照射された体積を測定するために、例えばアクリジンオレンジを添加して最終濃度５μＭとし、試料をくさび形状チャンバーに入れた。このチャンバーを異なる位置でイメージし、得られた画像の平均強度を測定した。バックグラウンド・シグナルは４ないし５ｍｍの深さまで増大することが判明した。より大きなチャンバーの深さでは、バックグラウンド・シグナルは一定のままであった。これは測定深度が約４ｍｍであり、これは同時に通常用いる標準的なチャンバーの深度と同じであることを示している。
【０１７９】
カメラ
カメラの入力シグナル（すなわち試料面からの光子）と出力シグナル（８−ビット画像の強度レベル）との間の関係を測定することが望ましい。この関係がわかれば、例えば、デジタル画像中のピクセルの測定した強度に基づいて試料中の細胞の蛍光強度を測定することができる。リニアなカメラ応答性の場合、画像中のピクセルの強度レベルは下式によって記載することができる：
【０１８０】
【数２８】
2005537781.tif 000031
【０１８１】
式中、Ａはカメラの利得であり、Ｐpixelはピクセル領域にわたるラジアント・パワー（radiant power）であり、ｔは積算時間であり、ｂは暗電流であり、ｃは読出しノイズであって、ｎはショットノイズ、積算時間の関数である。ピクセル強度の単位はＤＮ（デジタルの数）である。暗電流および読出しノイズパラメータは、カメラ開口を被覆し、ＣＣＤの全ピクセルの平均出力シグナルを測定することによって簡単に測定する。ｂとｔとの関係を図２１に示す。暗電流偏差σｂも図に示す。熱ノイズのために予想される平均暗電流ノイズレベルが積算時間とともに直線的に上昇すること、および、それがカメラの読出しノイズに起因するオフセットを有することが図２１から観察される。図から下記のパラメータを導き出した：
【０１８２】
【数２９】
2005537781.tif 000032
【０１８３】
２０秒よりも長い積算時間では、カメラはノイズによって飽和された。暗電流ノイズの標準偏差は積算時間の平方根の関数であると予想される。熱電子の分布はポアソンプロセスだからである。しかしながら、予期せぬことに図２１中のデータは僅かに異なる挙動を示し、積算時間に対する依存性はむしろ直線であることが判明した。この知見の理由は明らかでないままであるが、それがカメラまたはエレクトロニクス中の他のノイズ源によって引き起こされた可能性がある。標準偏差はカメラの飽和に再度起因してｔ＞２０秒で低下する。σｂに関しては、以下の表現が得られる：
【０１８４】
【数３０】
2005537781.tif 000033
【０１８５】
利得パラメータＡを決定するためには、既知の出力シグナルに対するカメラの応答を測定する必要がある。入力シグナルが強度または露出時間によって制御される場合、得られる直線の曲線の傾きを測定することによってＡを導くことができる。設定の標準的光源を用いて、カメラの入力シグナルを発生した。これを行うために、ＣＣＤカメラを対物レンズの直接的に正面の試料面に設置した。ラジアント・パワーはＬＥＤに対する駆動電流を変化することによって制御した。駆動電流と試料面のＬＥＤのラジアント・パワーとの間の関係は、対物レンズの正面に直接設置した既知の応答性を有するケイ素フォトダイオードを用いてまず伽リブレートした。この関係が確立されたら、ＣＣＤ画像中のピクセル強度をＬＥＤ光のラジアント・パワーの関数として測定した。既知の減衰率を有するＧｒｅｙフィルタを用いてＬＥＤからのシグナルを減衰した。カメラが飽和することを防ぐためにこれが必要であった。カメラ出力シグナルが積算時間にともなって直線的に上昇するという仮説を確認するために、色素溶液（ＡＯ）を試料として用い、異なる積算時間でイメージした。結果は実際に線状関係であった。
【０１８６】
カメラの応答性は下記のように記載し得る：
【０１８７】
【数３１】
2005537781.tif 000034
【０１８８】
または
【０１８９】
【数３２】
2005537781.tif 000035
【０１９０】
ここで、感度およびノイズに対するカメラの特性は決まっているので、パラメータを用いて画像に検出可能なシグナルを得るのに必要な最低ラジアント・パワーを決定した。画像中の単一ピクセルについてのＳＮ比（ＳＮＲ）は下記のように記載し得る：
【０１９１】
【数３３】
2005537781.tif 000036
【０１９２】
画像中の単一ピクセルは試料面中の１.７μｍ２から光を受け、したがって試料面中の対応する電力密度は：
【０１９３】
【数３４】
2005537781.tif 000037
【０１９４】
である。
【０１９５】
ＳＮ比と電力密度との間の関係は下記のように記載し得る：
【０１９６】
【数３５】
2005537781.tif 000038
【０１９７】
図２３は、ＳＮＲ＝３、ＳＮＲ＝５およびＳＮＲ＝１０のＳＮ比を得るために必要なＭおよびｔの組合せを示す。
【０１９８】
画像解析
画像に適用したフィルタが閾値レベルに顕著に依存しない強固なカウンティング・アルゴリズムを生じることが示された。すべての状況においてアルゴリズムが良好に実行することを確認するために、異なる細胞数の膨大な数の画像を解析した。画像処理段階の精度および安定性をさらに調べるために、シミュレートした細胞画像を用いた。シミュレートした画像はＣＣＤカメラから得た真の細胞画像に似ているが、その特性は知られている。真の画像およびシミュレートした画像の両方の解析により、最適な閾値レベルを選択することが可能となる。
【０１９９】
閾値レベル
最適閾値レベルを決定するために、７細胞／画像から１１５０細胞／画像の範囲の細胞数を含む４５の細胞画像を解析し、閾値曲線を計算した。細胞を含まない３の画像も解析した。結果を図２４に示す。図中に、あてはまる閾値レベルを示す。下限はゼロ画像が細胞カウントにさらに寄与しない位置によって決定し、上限は閾値曲線の形状によって決定している。それが徐々に劣化（decay）するためである。画像中のＳＮ比を制御し、カウンティング精度に対するＳＮ比の影響を調べるために、シミュレートした画像を用いた。シミュレートした細胞画像は、平均値Ｉ０および標準偏差σを有する普通の強度分布を有する既知数の細胞Ｎからなる。細胞は二次元ガウス分布としてモデル化する。画像は真の細胞画像に類似する一定のバックグラウンド・レベルＣ０、ノイズ成分ｎおよび明るい単離したピクセルの数をも有する。多数の細胞画像を、１ないし２５で変化する異なるＳＮ比でシミュレートした。シミュレートした画像の幾つかを図２５に示す（ＳＮＲ＝３、ＳＮＲ＝１０、ＳＮＲ＝２０）。シミュレートした画像の画像パラメータは、真の細胞画像のパラメータから導いた。これは値について、Ｉ０＝１１０、σ＝２０、Ｃ０＝５０およびＮ＝６００を生じた。ついで、画像処理ソフトウェアによってシミュレートした細胞を解析した。図２６は２のシミュレートした細胞画像の閾値曲線を示す：細胞を含まない画像および６００の細胞を含む画像。ＳＮ比は２０であり、これは真の画像に同様である。図中に観察されるごとく、シミュレートした画像の閾値曲線の形状は図２４中の真の画像曲線の形状と同様である。シミュレートした画像を解析して、カウンティング・アルゴリズムの性能を評価した。検出誤差は下記式によって定義した：
【０２００】
【数３６】
2005537781.tif 000039
【０２０１】
図２７は４の異なる閾値レベル：８０、１００、１２０および１４０についての結果を示す。誤差はＳＮ比が上昇するに従って低下する。真の細胞画像中のＳＮ比は典型的には２０である。これらの知見は、これらのシミュレーションに基づいて、画像処理の不正確さに起因する誤差は約２％と予想されることを示している。
【０２０２】
実施例２
総白血球カウンティング
単離した白血球を５ないし３０,０００細胞／μｌの範囲の既知の白血球濃度で白血球涸渇した赤血球濃縮物に加えた。ついで、下記の総白血球選択プロトコールに従って試料を処理した。１２×７５ｍｍのガラス管中の１００μｌのＥＤＴＡ抗凝集処理全血に、２０μｌの１００μ／ｍｌのビオチニル化ＣＤ４５モノクローナル抗体を添加した。室温にて３０分間インキュベートした後に、１０μｌの０.４ｍｇ／ｍｌのストレプトアビジン一磁性流体を添加した。ついで、試料をＨＧＭＳ磁気四重極（QMS13（登録商標）, Immunicon Corp., PA）の中および外に３回設置した（各回につき１０秒）。さらに３０分間放置した後に、５μｌの３ｍｇ／ｍｌのアクリジンオレンジを添加し、Cell Buffer（Immunicon Corp., 主としてリン酸生理緩衝液またはＰＢＳからなる）を用いて２ｍｌの最終体積まで希釈し、ついで、試料の３２０μｌアリコットを試料チャンバーに挿入した。チャンバーをキャップし、直ちに磁気チャンバー・ホルダー中に置いた。試料毎に３の画像を作成した。
【０２０３】
別のモードにおいては、試料チャンバーは水平光線を有する照明に対して水平よりも垂直に配向し得る光学的にフラットな表面を担持するキャップしていないキュベットからなるであろう。
【０２０４】
直線性
血液μｌあたりの細胞の数は、個人により顕著に変化し、また、疾患によってはその数が顕著に減少または増加し得る。これは、幾つかの適用においては、少なくとも３桁の程度の範囲を予想し得ることを意味している。白血球濃度の広範囲にわたる直線性に関するシステムの性能は、既知数の白血球を含む血液試料を測定することによって評価した。
【０２０５】
関連する実験の結果を図２８に示す。０.９０（Ｒ２＝０.９９）の傾きが観察された。この低い傾きは、約１５００細胞／画像の最高細胞濃度における３の基準から外れた測定値を含む結果を示している。これらの高いデータ点を無視した場合には、線の傾きは０.９８（Ｒ２＝０.９９）まで顕著に増加する。かくして、約１５００細胞／画像を、システムが正確に実行される上限とみなし得る。画像当たりの細胞数が低い場合にはエラーバーが顕著に大きくなり、したがって、システムのダイナミックレンジの下限を設定した。表面における細胞の密度は、血液試料の希釈率に基づいている。試料中の細胞の適当な濃度が知られている場合には、最適細胞密度を得るために希釈率を増減し得る。しかしながら、希釈率は１より小さくし得ないため、＜５％の統計学的精度でカウントし得る細胞／μｌの最小限数は、１を超える表面位置をイメージ化しない限りは約１８０細胞／μｌである。
【０２０６】
再現性
細胞カウントの再現性は、試料を繰り返して再カウントした場合にカウントされる細胞の数における変動に対応する。磁気構成は、チャンバーの中央線に沿って、表面セグメント上の細胞が表面セグメントより下方の部分的なチャンバー体積から生じるように設計した。しかしながら、チャンバーの側方位置に沿った細胞密度にには幾分かの変動が存在し得ることが予想される。
【０２０７】
また、試料を異なる表面位置またはセグメントあるいは異なるタイプのチャンバーで解析する場合にも変動が存在し得る。理想的なシステムにおいては、これらの変動はポアソン分布統計学になりやすく、変動はカウントした細胞の数に依存するであろう。他の因子も細胞カウントにおける変動に寄与し得る。側方位置の細胞の分布は、異なる側方位置またはセグメントで４の画像を撮り（部分的に重複している）、細胞の数の移動平均を算出することによって決定した。結果を図２９に示す。図から観察し得るように、表面の側方位置に依存して細胞表面密度に実際に変動が存在する。これらの変動はチャンバーの中央線に沿って測定する限りは重大でないようにみえる。縦の線に沿った表面上の細胞密度における変動も、この線に沿って異なる位置で画像を撮ることによって測定した。ポアソン統計学の３％の予想した値と比較してこの変動は約５％であった。５％のより高い変動は、試料における細胞の初期の不均一性、チャンバー寸法の不正確さ、磁気構成の均一性の不足または画像解析それ自体によって引き起こされ得る。
【０２０８】
精度
この実験においては、細胞カウンティングに関するシステムの精度を１５の異なる血液試料の細胞カウントを市販の血液分析器によって得たデータと相関することによって評価した。異なる患者からの１５のＥＤＴＡ抗凝固血液試料を収集し、同日に解析を行った。各試料から、５パート示差血液分析器（Sysmex（登録商標） SE 9500, Sysmex（登録商標） Corp., Long Grove, IL）における分析用にアリコットを採り、前記したシステムにおける分析用にアリコットを採った。１２×７５ｍｍのガラス管中の１００μｌのＥＤＴＡ抗凝固処理した全血に、４０μｌの２５μｇ／ｍｌのビオチニル化ＣＤ４５モノクローナル抗体を添加した。室温にて３０分間インキュベートした後に、２５μｌの０.４ｍｌのストレプトアビジン−強磁性流体を添加した。ついで、試料を磁気四重極（QMS13, Immunicon Corp., PA）の中および外に各回につき１０秒３回設置した。さらに３０分間放置した後に、５μｌの３ｍｇ／ｍｌのアクリジンオレンジを添加し、試料をCell Buffer（Immunicon(登録商標) Corp.）で最終体積２ｍｌまで希釈した。ついで、その試料の３２０μｌのアリコットを試料チャンバーに挿入した。チャンバーをキャップした後に、それを磁気ホルダーに直接設置した。１０分後に、チャンバーの表面上の異なる位置の３の画像が作成され、細胞カウンティング・ソフトウェアを用いて画像中の細胞数を測定した。細胞分析システム上のカウントと血液分析器上のカウントとの間の相関を算出した。２のシステム間の相関を図３０に示す。細胞の数が１００〜１５,０００細胞／μｌの範囲で変動する場合、Ｒ２は０.９５で、回帰線は０.９８の傾きを有していた。垂直のエラーバーは以前の実験で論じた測定誤差を表している。
【０２０９】
実施例３
ＣＤ４＋細胞カウンティング
すべての正常な個人の９５％のＣＤ４＋リンパ球の数は３５５〜１２９８細胞／μｌの間に入る。ＡＩＤＳ患者においては、５００細胞／μｌのＣＤ４カウントを用いて抗レトロウイルス両方を開始する場合があり、２００のＣＤ４／μｌのカウントを用いて予防的な抗微生物治療を開始し、１００のＣＤ４／μｌのカウントを日和見感染の増加と関付ける場合があり、５０のＣＤ４／μｌ未満のカウントはＨＩＶ関連死の高発生を有する。したがって、ＣＤ４を発現しているリンパ球の数を正確に測定することは重要である。
【０２１０】
直線性
Becton DickinsonのTruCount（登録商標）フローサイトメーターおよび以下に概説する本発明の方法によって１０人のドナーからの全血試料中のＣＤ４カウントを測定した。全血（２００μｌ）を１２ｍｍ×７５ｍｍのポリスチレン製試験管に添加し、２０μｌの０.１ｍｇ／ｍｌの１０×ビオチニル化抗ＣＤ４Ｍａｂ（２μｇのＭａｂを添加）および８.５μｌの０.４７ｍｇ／ｍｌのストレプトアビジン強磁性流体（４μｇの鉄を添加）と一緒に混合した。試料を混合し、ＱＭＳ１３中で１０分間インキュベートした。インキュベート後に４０μｌの１ｍＭのアクリジンオレンジ色素（最終濃度＝２０μＭ）および１７３１μｌのCell Buffer、すなわち最終体積＝２ｍｌを添加し、混合し、〜３５０μｌの試料をチャンバーに入れた。チャンバーを磁気ヨークにインサートし、１０分後に５の異なるチャンバー場所の数（細胞／μｌ）としてカウントを得た。相関係数Ｒ＝０.９６、傾きは１.１５であったが、５３の切片は本発明の方法が参照法よりもより多い細胞をカウントしたことを示している。
【０２１１】
発光の差異に基づくＣＤ４＋単球とリンパ球との区別
ＣＤ４マーカーは単球およびリンパ球の双方で発現されている。したがって、磁気分離用のＣＤ４モノクローナル抗体を用いれば、チャンバー表面上の単球およびリンパ球の双方の存在を生じるであろう。両方の細胞集団の絶対カウントを得るためには、アクリジンオレンジでの染色における差異に基づいてそれらを区別することが可能である。総白血球カウントにも使用されるアクリジンオレンジは異染性であることが知られている。当該色素は、二本鎖（ｄｓ）対一本鎖（ｓｓ）核酸に結合した場合、その発光スペクトルにおける大きなシフトを示す。アクリジンオレンジはインターカレーションによってｄｓ−核酸に結合し、インターカレートした形態は青色光で励起した場合に緑色の蛍光を発する。ＤＮＡに対してインターカレーションによって結合したアクリジンオレンジの最大吸収は５００ないし５０６ｎｍで、発光は５２０ないし５３４ｎｍである。アクリジンオレンジとｓｓ−核酸との相互作用は複雑であり、隣接する塩基間のアクリジンオレンジのインターカレーションによって開始し、カチオン性色素によるポリマー電荷の中和、およびその後の産物の凝縮および凝塊形成（沈澱：溶質から固体状態への転移）へと続く多段階のプロセスである。これらの沈澱した産物におけるアクリジンオレンジの吸収スペクトルはインターカレートしたアクリジンオレンジのものと比較して青色にシフトし、核酸の塩基組成に依存して４２６〜４５８ｎｍの範囲の最大吸収を有する。これらのコンプレックスにおけるアクリジンオレンジの発光も６３０〜６４４ｎｍの間で変化し、これも塩基組成に依存する。
【０２１２】
【表２】
2005537781.tif 000040
【０２１３】
正確な区別を得るためには色素の濃度も極めて重要であるが、このアクリジンオレンジの異染性挙動を用いてリンパ球から単球を区別し得る。単球はリンパ球よりもより多量のＲＮＡを有するからである。したがって、約６３０〜６４４ｎｍの範囲のアクリジンオレンジの発光はリンパ球におけるよりも単球における方がより大きいことが予想される。アクリジンオレンジの異染性および細胞の２のサブ集団のＲＮＡ含量における差異を利用することによって単一の標識工程を用いてＣＤ４＋単球およびリンパ球を別々にカウントし得るかを調べるために以下の実験を行った。同一の標識プロトコールを総白血球カウンティングに関する限り用いたが、ここでは、ＣＤ４５抗体の代わりにＣＤ４＋リンパ球および単球を標識するために抗−ＣＤ４モノクローナル抗体を用いた。磁気セパレータ内側での１０分間の収集後に、チャンバー表面の画像を４５５ｄｆ３０バンドパス・フィルタを用いて作成した。この画像では、細胞のＤＮＡ含量にコンジュゲートした色素の蛍光（これは全白血球に関しても用いる）のみを検出する。ついで、６４０ｄｆ２０バンドパス・フィルタを用いてもう１の画像を作成し、これを用いて細胞中のＲＮＡ含量を測定した。第１の画像を用いて、全細胞の位置を位置決定し、これらの位置をコンピュータメモリーに保存した。第２の画像においては、すべての位置における細胞のＲＮＡ含量に起因する平均ピクセル強度を測定した。図３２は磁気的に標識したＣＤ４＋細胞の試料から得た散乱プロットを示している。緑色チャネルの画像中の細胞の平均ピクセル強度として測定したＤＮＡ含量を、赤色チャネルの画像中の平均ピクセル強度として測定したＲＮＡ含量に対してプロットしている。単球はリンパ球よりも赤色チャネルにおいてより高い強度を有するので、２の集団は区別し得る。単球およびリンパ球の数は、フローサイトメトリーで一般的に行われているごとく散乱プロットから引き出し得る。
【０２１４】
磁気ローディング／抗原密度における差異に基づくＣＤ４＋単球およびリンパ球の間の区別
表面に到着する細胞の数が時間の関数として測定される場合には、チャンバー中の磁気収集の間の細胞の平均速度を決定し得る。これは、ＣＣＤカメラから得た画像を連続的に処理するリアルタイム画像処理アルゴリズムを用いて行い得る。かかるアルゴリズムが開発され、０.２５画像／秒の最大速度で細胞カウント測定が可能になっている。予想ダイナミクスに基づいて、時間軌跡を等式７にフィットして、細胞の平均速度（ｖ０）、速度分布の標準偏差（σ）および収集前にイメージした表面下の体積中に存在していた細胞の総数（Ｎ０）を概算し得る。図３３は総白血球カウントで得た典型的な時間軌跡を示しており、一緒に非線形最小二乗フィッティング・アルゴリズムの結果（点線）を示している。細胞の平均速度はｖ０＝０.２４ｍｍ／秒と概算され、標準偏差σ＝０.２１ｍｍ／秒および細胞総数Ｎ０＝１１１３と概算された。この曲線フィッティング・アルゴリズムを用いれば、すべての細胞が表面に到達するのに十分に磁性でなくても、総数（細胞／μｌ）の概算値を得ることが可能である。しかしながら、抗原発現（およびしたがって磁気運動）は白血球のサブ集団に関して異なるかもしれず、さらなる改善なしにモデルをすべての白血球集団に厳密に適用し得ないことは注意しなければならない。モノクローナル抗体ＣＤ４＋抗体を用いて白血球を磁気的に標識する場合、ＣＤ４＋単球およびリンパ球の両方を標識する。ＨＩＶ感染症の進行をモニターするのにＣＤ４＋リンパ球カウントだけが臨床的に適当なので、総ＣＤ４＋カウント中の単球およびリンパ球の数を区別する方法が必要である。ＣＤ４抗原の発現はＣＤ４＋単球およびリンパ球において異なるため、磁気的標識の量も異なり、したがって標識した単球に関してはより低い磁気運動およびより低い平均速度を生じるであろう。細胞の数を時間の関数としてカウントする場合、単球およびリンパ球の数はＮ（ｔ）曲線の形状から推定し得る。ＣＤ４＋リンパ球上の正常な抗原密度は４７±１４×１０３／細胞、ＣＤ４＋単球上のそれは１７±５×１０３／細胞であると報告されている。単球およびリンパ球の両方の表面抗原の同じパーセントが占められていること、および、両方が同様の重量および形状を有することを想定すると、抗原密度をその平均収集速度に関連付けることができる。より初期の実験から、ＣＤ４＋単球に関する平均速度は０.２ｍｍ／秒であることが判明しており、したがって単球に関しては０.０７ｍｍ／秒の平均速度が予想される。図３４には総細胞カウントが示されており、一緒に単球およびリンパ球の数が示されている。Ｎ１、Ｎ２、Ｔ１およびＴ２が決定されたら、ＮmonocytesおよびＮlymphocytesは以下のようにして算出し得る：
【０２１５】
【数３７】
2005537781.tif 000041
【０２１６】
抗原密度の標準偏差を用いれば、速度の標準偏差は単球に関しては０.０２ｍｍ／秒およびリンパ球に関しては０.０６ｍｍ／秒であることが予想される。図３４ｂでは、速度におけるこれらの偏差を用いて同じ細胞カウントシミュレーションが示されている。図からＮ１、Ｎ２、Ｔ１およびＴ２の値を正確に決定し得ないことは明らかである。より良好な選択肢は、２の細胞型に関するＮ（ｔ）の解析解法に基づいて非線形曲線フィッティング・アルゴリズムにあてはめることである。１の細胞型に関して、解法は：
【０２１７】
【数３８】
2005537781.tif 000042
【０２１８】
であり、式中、ysurfはチャンバーのサイズであり、ｖ０は細胞の平均速度であり、σ０は偏差であって、erfは誤差関数である。このアルゴリズムはニュートン繰返し法（Newton iteration method）に基づいている。図３５においては、"既知"として設定されたｖ０、ｖ１、σ０およびσ１を用い、Ｎ１およびＮ２を概算した（シミュレートした）フィットが示されている。しかしながら、現実の測定においては、生物試料の速度に対するｖの依存性、標識した表面抗原のパーセントにおける差、および磁性粒子の磁気運動における差に起因して、ｖ０およびｖ１が正確に知られていることを仮定し得ない。すべてのこれらの関係が直線状であると仮定すると、ｖ０／ｖ１の比は一定のままでなければならない。したがって、フィッティング・アルゴリズムを修飾して、ｖ０、ｖ１、σ０およびσ１の前に位置する速度定数Ｃｖも概算する。図３６においては、コンパートメントの底部で出発するすべての標識した細胞を用いたシミュレーションが示されている。これは磁場を十分な時間逆転することによって行い得る。Ｎ１およびＮ２は図から極めて正確に概算し得る。
【０２１９】
同じ非線形曲線フィッティング法をあてはめる場合、図３６から観察されるごとく、均一な試料を用いて行った曲線フィッティングよりも結果は全体的に良好である。この図においては、カウントした細胞の数の差も示されている。ガウス関数は低いシグマ値で区別し得、予想されたシグマを有する関数は用いた小さい時間セグメント（０.５７秒）の間に表面に到達した細胞における大きな変動に起因してノイジーである。
【０２２０】
単球から臨床的に適当なＣＤ４＋リンパ球を区別するさらなる意味を以下に列挙する：
１．ＣＤ４＋リンパ球の移動速度を高めるための異なるサイズの磁性粒子を用いた示差磁気ローディング：
２．単球と比較してＣＤ４＋リンパ球の示差結合を増大させるための磁気配置中のギャップ幅およびしたがって磁場強度を最適化すること；
３．遊離ＣＤ４Ｍａｂを添加して、ＣＤ４−特異的磁性粒子が単球に結合するのを阻害することを支援すること；
４．単球に特異的である非磁気ビーズを導入すること；
５．ＣＤ４リンパ球を優先させるために磁気捕捉粒子上の抗体密度を変化させること；および
６．リンパ球検出を高めるために、ＣＤ４５磁気捕捉およびアクリジンオレンジと組み合わせたさらなる標識したＣＤ４５、例えば抗ＣＤ４５フルオレセインを用いること。
【０２２１】
実施例４
フラッドライト直接照明
以前に記載した具体例において、ＬＥＤは照明光を発生する。光は集光レンズ、４５５ＤＦ７０バンドパス・フィルタを通過し、試料の方向に５１５ＤＲＬＰダイクロイック・ミラーによって反射される。集光レンズは光を対物レンズの後焦点面上にフォーカスし、試料の平行照明を生じる。
【０２２２】
コンポーネントの大部分を削除する素直な方法は、直接試料照明であり、その場合は２のＬＥＤの光が試料に対して直接的に投射される。以前のシステムと比較した性能は、照明の強度および均一性における低下、およびバックグラウンド・シグナルの上昇によって影響され得る。
【０２２３】
照明の強度および均一性
光はもはやフォーカスされないため、照明強度はＬＥＤの指向性によって制限される。最近使用されているＬＥＤ（ＮＳＰＢ５００Ｓ, Nichia Corp., Japan）は３０°の指向性（２θ１／２）を有する。これは、１５°角度のＬＥＤ軸で５０％強度が低下することを意味する。
【０２２４】
ガウス強度分布を想定すると、（ｄ＜Ｉ）に関する正規化した強度分布関数Ｉ（θ）は下式によって得られる：
【０２２５】
【数３９】
2005537781.tif 000043
【０２２６】
距離ｌ（ｍ）のサイズｄ（ｍ）の表面に投射される合計光（total light power）の率（Ｐ／Ｐtot）は：
【０２２７】
【数４０】
2005537781.tif 000044
【０２２８】
である。
【０２２９】
また、均一係数ＨをＨ＝Ｉ（θ＝θmax）／Ｉ（θ＝０）と定義することもでき、これは表面の縁部における強度に対する中心部の強度の間の比を定義している。
【０２３０】
【数４１】
2005537781.tif 000045
【０２３１】
励起フィルタなしの高いバックグラウンド
ＬＥＤの発せされた光の小さい部分（図２.４を参照されたい）は、アクリジンオレンジ（ＡＯ）の発せられた蛍光のスペクトル領域中に存在する。ローパス・フィルタを用いなければ、発光は蛍光シグナルのバックグラウンドとして検出されるであろう。ロングパスまたはバンドパス・フィルタ（以前の照明具体例で用いた中心波長５５０ｎｍバンドパス３０ｍｍ）はこのバックグラウンドを低下し得る。５３０ｎｍロングパス・フィルタがこの照明具体例に最適であることが判明している。
【０２３２】
器具および試験
前記の数学的処理はＬＥＤの均一な照明場を想定しており、これは非常に現実的ではない；ＬＥＤの構造およびエポキシ封入のフォーカス特性は接近している範囲（＜１ｃｍ）においては非常に不規則な場を生じる。したがって、最適な位置は経験的に表面から〜４ｍｍに存在することが判明している。２のＬＥＤをこの設定に用いた。これは単一のＬＥＤよりもより均一な照明を作り出すからである。また、より高い照明強度も達成し得る。適用によって要求される照明に依存して、より多くのＬＥＤを用いることができる。
【０２３３】
照明の両方の方法の性能を試験するために、それらをアクリジンオレンジの溶液および非蛍光性の吸光性試料を用いて試験した。両方の方法において、ＬＥＤはその最大推奨電流４０ｍＡで駆動した。強度の測定としては、電気エネルギー消費で除したＣＣＤカメラからの出力としてのDigital Unitsの数［ＤＵ’ｓ／ジュール］。この値は試料中のＡＯ濃度に依存するため、それは相対的比較についてのみ使用し得る。画像に見出される最大強度によって除した最小強度は％で示す（蛍光試料）。非蛍光試料の最大強度はＤＵ’ｓで示す。
【０２３４】
【表３】
2005537781.tif 000046
【０２３５】
結果を表３に示し、これは効率および均一性は両方のタイプの照明について同様であるが、バックグラウンドのレベルは僅かに高い（試験した試料について２ＤＵ’ｓ）ことを示している。
【０２３６】
他の具体例
本発明のアルゴリズムのさらなる例および適用により、資源に乏しい環境における使用に好適であるコンパクトで、頑丈で、低コストのシステムにおける正確な細胞計数が可能となる。システムの性能は血液細胞の分析を包含する多数の臨床的に適当な適用において確立されているが、多くの他の適用も想像し得る。例えば、すでに前記したごとく、ミルク中のウシ白血球（体細胞カウント）は重要な適用になり得る。現在、ミルクの分析はフローサイトメトリー・システムによって行われているが、これはミルク試料を専門化された研究室まで運搬する必要があり、これは不経済であり、時間を浪費することにもなる。本明細書に記載する分析は、現場で、使用地環境において、または従来の研究室において容易に行い得る。
【０２３７】
さらに広義の適用には、ヒトまたは動物における細菌、真菌類およびウイルス病原菌、水供給物および空気サンプルの検出が包含される。細胞以外の対象物も、適当な蛍光染色試薬を用いることによって、本発明の方法およびアルゴリズムのシステムによってカウントし得る。当該システムは、高速免疫アッセイ分析を行うのに理想的であろう。例えば、分析物に対して特異的な磁性粒子を、細胞について記載した方法と同様に磁気標識するために使用し得る。ついで、蛍光ポリスチレンビーズのごとき検出可能な標識を添加し得る。磁性粒子−分析物−検出可能な標識のコンプレックスは観察表面まで磁気的に操作するため、装置は分析物を検出し、計数し得るであろう。
【０２３８】
流体工学またはポンプの欠如、シールしたまたはシール可能な容器中の性能および本発明のデバイスのコンパクトさは、宇宙容器および他の地球外適用における低ｇ条件および限られた空間における操作を可能にする。
【０２３９】
前記したごとき、改良を取り込む本発明の好ましい具体例は、予期せぬことに、前記に引用したものに加えてさらに多くの分野および適用において本発明を用いることができることも見出された。
【０２４０】
他の適用
以下は、システムの可能性のある適用の幾つかを掲載している。
研究：
・流体中の免疫学的に明らかにされたサブセットの一般的細胞カウンター、例えば、
・細胞生存、
・ＣＤ２０、
・Ｂ−リンパ球、
・ＣＤ３  Ｔ−リンパ球、
・ＣＤ８  サプレッサーＴ−リンパ球、
・ＣＤ１４単球、
・ＣＤ８３樹状細胞
【０２４１】
血液学：
・白血球カウント（ＣＤ４５）
・顆粒球カウント（ＣＤ１５、より低い抗原密度に基づく単球の区別）
・レフト・シフト（Left Shift）（ＣＤ６４抗原密度に基づく未成熟／成熟顆粒球）
・シフト網状赤血球（ＣＤ７１）
・前駆細胞カウント（ＣＤ３４）
・前駆細胞カウント（ＣＤ３４）
【０２４２】
血液バンク：
・赤血球バッグ中の残余白血球
・ロイコフェレシス産物中の前駆細胞カウント
・心血管疾患：
・活性化血小板カウント（ＣＤ６２Ｐ）
・内皮細胞カウント（ＣＤ１４６）
【０２４３】
リウマチ学
・ジョイント・アスピレート中の細胞サブセット
・感染性の疾患：
・ＣＤ４カウント（ＨＩＶ）
・唾液／尿中の白血球すら上皮細胞／ＲＢＣ細胞カウント
・唾液／尿中の細菌カウント
【０２４４】
環境：
・生物戦争剤
【０２４５】
農業：
ウシにおける乳腺炎（ミルク中の白血球）
【０２４６】
大気圏外空間プログラム：
・臨床分析
・環境分析
【０２４７】
本明細書中には本発明の特定の具体例を説明し、記載したが、これらは本発明をかかる開示に限定することを意図するものではない。以下の特許請求の範囲の範囲内でそれらに対して変化および修飾を作成し得る。
【図面の簡単な説明】
【０２４８】
【図１】図１はオプティカルおよび発光構造の概略図である。（Ａ）においては、ＬＥＤからの光がコンデンサー、一連のフィルタおよび１０×対物レンズを通って試料上に集光される。細胞の蛍光の画像は投射され、ＣＣＤカメラによってキャプチャされる。（Ｂ）においては、２のＬＥＤの光は試料上に直接的に投射されている。
【図２】図２はｘ−およびｚ−方向におけるチャンバー中の磁気勾配である（Ａ）。勾配のｘ−成分は無視し得る。磁気的に標識した白血球はチャンバー中を上方に移動し、一方非標識赤血球は下方に移動する（Ｂ）。
【図３】図３は異なる細胞速度分布に対する時間の関数としての表面の細胞の数である。曲線の最初の傾斜は平均細胞速度を表し：ａ．０.０２ｍｍ／秒の一定の平均細胞速度、σの異なる値。ｂ．０.０２ｍｍ／秒の一定値に対する異なる平均細胞速度。
【図４】図４は典型的な細胞画像およびその強度プロフィールの拡大図である。これらの画像に基づいて、細胞を二次元Gaussianスポットとしてモデル化し得ることが予想される。
【図５】図５はカメラから得られた３の細胞画像からの閾値レベル曲線である。カウントした細胞の数は選択した閾値レベルに強く依存する。
【図６】図６は正規化したテンプレートｈ（ｘ,ｙ）の断面である。テンプレートはゼロ平均値を有する。
【図７】図７はフィルタテンプレートｈ（ｘ,ｙＣ０（ｘ,ｙ）＝０）の断面である。
【図８】図８はフィルタ幅の関数としての、無限積分およびフィルタテンプレートの限定の使用に起因して導入された打切り誤差（％）である。ガウス分布下の面積は（ｘ,ｙ）＞Ｗの場合については比較的小さいので、この誤差はＷ／σのより大きな値については無視し得る。
【図９】図９はシグナルｆ（ｘ,ｙ）とフィルタテンプレートｈ（ｘ,ｙ）との織り込みの結果である。
【図１０】図１０はガウス白色雑音に対するフィルタの効果である。フィルタはノイズを顕著に抑制している。
【図１１】図１１はフィルタリング前後の典型的な細胞画像からの線軌跡である。一定のバックグラウンド・レベルは抑制され、細胞は強められている。負の値は画像の中でゼロに設定されている。
【図１２】図１２は３の典型的な細胞画像の閾値レベル曲線である。（ａ）フィルタリング前、カウントした細胞の数は選択した閾値レベルに強く依存している。（ｂ）フィルタリング後、フィルタは閾値曲線のプラトーを伸長し、すべての画像について所定の閾値レベル。
【図１３】図１３は異なるフィルタリング工程における典型的な細胞画像からの線軌跡である。ラプラシアン・プレフィルタは画像中の細胞を強く増強し、マッチしたフィルタはノイズを抑制している。
【図１４】図１４は：ラプラシアン・プレフィルタおよびマッチしたフィルタの適用後の閾値レベル曲線である。フィルタの効果はより長い水平プラトーで、これによりカウンティング・アルゴリズムが非常に強固なものにする。
【図１５】図１５は完全カウンティング・アルゴリズムのブロック図である。
【図１６】図１６は画像処理アルゴリズムの異なるステージにおける細胞画像である。（ａ）元の細胞画像。（ｂ）ラプラシアン・プレフィルタ後。（ｃ）マッチしたフィルタ後。（ｄ）閾値設定後。
【図１７】図１７は光学システムの概略図である。エポキシレンズ製として示すＬＥＤチップＷ'は１０×対物レンズの後焦点面に像形成され、試料面の平行ビーム発光を生じる。
【図１８】図１８はＢＢ’のサイズに対する２の限定状態である。（ａ）ＢＢ’が対物レンズの入射瞳よりも大きい場合。（ｂ）ＢＢ’が非常に小さく、大きなビーム系を生じ、光が試料面において消失する場合。ＢＢ’の最適値はこれらの２の限定状態の間のいずれかに存在すると予想される。
【図１９】図１９は幾何学的光線トレーシング・アルゴリズムの視覚化である。赤色光線は妨害された光線であり、緑色光は試料面の視野内に残存する。通過した光線の相対数は発光効率に対応する（画像は一定比率で描かれていない）。
【図２０】図２０は光線トレーシング・アルゴリズムからのデータにフィットした正規化発光効率の実験データである。実験値は、アルゴリズムによって予想された値とよく合致している。
【図２１】図２１はカメラからの暗電流ノイズの平均値および標準偏差である。より長いインテグレーション・タイムでカメラは飽和を獲得した。
【図２２】図２２はＬＥＤからの出力シグナルを補正するために、フォトダイオードを試料面に設置し、放射電力を異なるＬＥＤ電流について測定した図である。既知のＬＥＤシグナルに対するカメラ応答を測定するために、ＣＣＤカメラを試料面に設置し、平均ピクセル強度を測定した。
【図２３】図２３はある種のＳＮを生じる積算時間ｔと電力密度とのコンビネーションである。
【図２４】図２４は３の"ゼロ"画像を含む４５の細胞画像の閾値レベルである。これらの曲線に基づいて、１００ないし１５０の妥当な閾値レベル間隔を確立した。
【図２５】図２５は異なるＳＮ比（ＳＮＲ）を用いてシミュレートした細胞画像であり、これらを用いてカウンティング精度に対するＳＮＲの影響を調べた。（ａ）ＳＮＲ＝３、（ｂ）ＳＮＲ＝１０、（ｃ）ＳＮＲ＝２０。
【図２６】図２６は２のシミュレートした画像の閾値レベル曲線である。これらの曲線と図２４における実際の画像から得られた曲線との間の類似に注意されたい。
【図２７】図２７はシミュレートした画像のＳＮ比の関数としての細胞カウンティングの誤差パーセンテージである。実際の細胞画像における平均ＳＮ比（ＳＮＲ＝２０）において、データはほぼ２％の誤差を示す。
【図２８】図２８は予想細胞数に対するカウントした細胞数である。システムは約１５００細胞／画像まで線形に上昇している（傾き＝０.９８、Ｒ２＝０.９９）。より高い細胞密度においては、細胞カウントはシステムによって実際より少なく見積もられている。低いサンプルサイズに起因してより低い細胞密度においては誤差が上昇する。
【図２９】図２９はチャンバー表面の異なる側方位置における細胞の数／画像である。表面の縁部においては細胞密度が低下する。磁石は、磁石間の中間点で細胞カウントの精度が最も高くなるように設計する。
【図３０】図３０はイメージング・システムとＳｙｓｍｅｘ（登録商標）血液アナライザーとの間の絶対白血球カウントの間の相関である。傾き０.９７、Ｒ２＝０.９５が１００細胞／μｌないし１６,０００細胞／μｌの範囲の細胞カウントについて見出された。
【図３１】図３１は本発明のイメージング・システムとＢＤ Ｔｒｕｃｏｕｎｔ（登録商標）システムを用いたフローサイトメトリー分析との間のＣＤ４カウントの相関である。
【図３２】図３２はＣＤ４−標識磁性粒子で分離したＲＮＡ含量に対するＤＮＡ含量の分散プロットである。２の異なるクラスターはＣＤ４＋リンパ球および単球を表す。
【図３３】図３３は全白血球カウントについての画像中の細胞数の時間軌跡である。モデルはデータにフィットし、合計Ｎ０＝１１１３の細胞について平均細胞速度ｖ０＝０.２４ｍｍ／秒、標準偏差σ＝０.２１ｍｍ／秒を生じた。
【図３４】図３４は均一分布に対する単球およびリンパ球のＮ（ｔ）である。Ｎmonocyte＝Ｎlymphocyte＝５００、Ｖmonocyte＝０.２ｍｍ／秒；Ｖlymphocyte＝０.０６ｍｍ／秒  （ａ）σmonocyte＝リンパ球＝０  （ｂ）σmonocyte＝０．０２ｍｍ／秒；σmonocyte０.０６ｍｍ／秒
【図３５】図３５は均一分布に対する単球およびリンパ球のＮ（ｔ）のシミュレーションである。Ｎmonocyte＝４００、Ｎlymphocyte＝６００、Ｖmonocyte＝０.０７ｍｍ／秒；Ｖlymphocyte＝０.２ｍｍ／秒。（ａ）σmonocyte＝０.００２ｍｍ／秒、σlymphocyte＝０.０６ｍｍ／秒。
【図３６】図３６はチャンバーの下で出発したすべての細胞を用いた単球およびリンパ球とのＮ（ｔ）およびＤＮ（ｔ）である。  Ｎmonocyte＝４００、Ｎlymphocyte＝６００、Ｖmonocyte＝０.０７ｍｍ／秒；Ｖlymphocyte＝０.２ｍｍ／秒（ａ）σmonocyte＝０.００２ｍｍ／秒、σlymphocyte＝０.００６ｍｍ／秒（ｂ）σmonocyte＝０.０２ｍｍ／秒、σmonocyte＝０.０６ｍｍ／秒。
【図１】
2005537781.tif 000047
【図２】
2005537781.tif 000048
【図３】
2005537781.tif 000049
【図４】
2005537781.tif 000050
【図５】
2005537781.tif 000051
【図６】
2005537781.tif 000052
【図７】
2005537781.tif 000053
【図８】
2005537781.tif 000054
【図９】
2005537781.tif 000055
【図１０】
2005537781.tif 000056
【図１１】
2005537781.tif 000057
【図１２】
2005537781.tif 000058
【図１３】
2005537781.tif 000059
【図１４】
2005537781.tif 000060
【図１５】
2005537781.tif 000061
【図１６】
2005537781.tif 000062
2005537781.tif 000063
2005537781.tif 000064
2005537781.tif 000065
【図１７】
2005537781.tif 000066
【図１８】
2005537781.tif 000067
2005537781.tif 000068
【図１９】
2005537781.tif 000069
【図２０】
2005537781.tif 000070
【図２１】
2005537781.tif 000071
【図２２】
2005537781.tif 000072
【図２３】
2005537781.tif 000073
【図２４】
2005537781.tif 000074
【図２５】
2005537781.tif 000075
2005537781.tif 000076
2005537781.tif 000077
【図２６】
2005537781.tif 000078
【図２７】
2005537781.tif 000079
【図２８】
2005537781.tif 000080
【図２９】
2005537781.tif 000081
【図３０】
2005537781.tif 000082
【図３１】
2005537781.tif 000083
【図３２】
2005537781.tif 000084
【図３３】
2005537781.tif 000085
【図３４】
2005537781.tif 000086
【図３５】
2005537781.tif 000087
【図３６】
2005537781.tif 000088
【国際調査報告】
2005537781.tif 000089